(57)【特許請求の範囲】
【請求項１】
投入された貨幣を繰り出す投入手段と、
該投入手段から繰り出された貨幣を識別する入金識別手段と、
該入金識別手段で正常と識別された貨幣を金種別に振り分ける第１の振分手段と、
該第１の振分手段で振り分けられた貨幣を繰り出し可能に収納する金種別の環流手段と、
前記金種別の環流手段から繰り出された貨幣を払い出す払出手段と、
前記金種別の環流手段から繰り出された貨幣を一時貯留する貯留手段と、
該貯留手段の貨幣を収納する収納手段と、
前記貯留手段の貨幣を返却する返却手段と、
前記入金識別手段で正常と識別された貨幣を前記貯留手段に振り分ける第２の振分手段と、
貨幣の取引操作の入力がなされる操作手段と、
を有する貨幣処理機と、
管理者の在席の有無を管理する管理者在席状況管理手段と、
を備えた貨幣処理システムにおいて、
前記管理者在席状況管理手段が管理者在席有りとした場合、貨幣の入金ルートを前記第１の振分手段を経て前記金種別の環流手段に収納する環流ルートに設定し、前記管理者在席状況管理手段が管理者在席無しとした場合、貨幣の入金ルートを前記第２の振分手段を経て前記貯留手段に貯留する非環流ルートに設定するルート切換手段と、
該ルート切換手段が貨幣の入金ルートを前記非環流ルートに設定している場合、前記貯留手段に貯留した貨幣を、前記操作手段への承認操作入力時に前記収納手段に収納する制御手段と、
前記第１の振分手段および前記金種別の環流手段を開放可能な第１開放手段と、
前記第２の振分手段および前記貯留手段を開放可能な第２開放手段と、
これら第１開放手段および第２開放手段の開放を許可する許可手段と、を有し、
前記許可手段は、管理者権限有りのとき前記第１開放手段および前記第２開放手段の両方の開放を許可する一方、管理者権限無しのとき前記第２開放手段のみの開放を許可することを特徴とする貨幣処理システム。
【請求項２】
一の取引で前記入金識別手段の識別結果に基づき割り出される貨幣の入金金額と前記一の取引の伝票金額とを比較する比較手段を備え、
前記制御手段は、前記一の取引において、前記管理者在席状況管理手段が管理者在席無しとした場合、前記比較手段の比較結果から前記入金金額が前記伝票金額より大きいと判断すると、前記一の取引の入金金額と前記収納手段の在り高との加算値が、前記一の取引の前記伝票金額を含む前記伝票金額の累計値を超えない場合に、前記貯留手段に貯留した貨幣を、前記操作手段への承認操作入力時に前記収納手段に収納することを特徴とする請求項１記載の貨幣処理システム。
【請求項３】
投入された貨幣を繰り出す投入手段と、
該投入手段から繰り出された貨幣を識別する入金識別手段と、
該入金識別手段で正常と識別された貨幣を金種別に振り分ける第１の振分手段と、
該第１の振分手段で振り分けられた貨幣を繰り出し可能に収納する金種別の環流手段と、
前記金種別の環流手段から繰り出された貨幣を払い出す払出手段と、
前記金種別の環流手段から繰り出された貨幣を一時貯留する貯留手段と、
該貯留手段の貨幣を収納する収納手段と、
前記貯留手段の貨幣を返却する返却手段と、
前記入金識別手段で正常と識別された貨幣を前記貯留手段に振り分ける第２の振分手段と、
貨幣の取引操作の入力がなされる操作手段と、
を有する貨幣処理機と、
管理者の在席の有無を管理する管理者在席状況管理手段と、
を備えた貨幣処理システムにおいて、
前記管理者在席状況管理手段が管理者在席有りとした場合、貨幣の入金ルートを前記第１の振分手段を経て前記金種別の環流手段に収納する環流ルートに設定し、前記管理者在席状況管理手段が管理者在席無しとした場合、貨幣の入金ルートを前記第２の振分手段を経て前記貯留手段に貯留する非環流ルートに設定するルート切換手段と、
該ルート切換手段が貨幣の入金ルートを前記非環流ルートに設定している場合、前記貯留手段に貯留した貨幣を、前記操作手段への承認操作入力時に前記収納手段に収納する制御手段とを有し、
一の取引で前記入金識別手段の識別結果に基づき割り出される貨幣の入金金額と前記一の取引の伝票金額とを比較する比較手段を備え、
前記制御手段は、前記一の取引において、前記管理者在席状況管理手段が管理者在席無しとした場合、前記比較手段の比較結果から前記入金金額が前記伝票金額より大きいと判断すると、前記一の取引の入金金額と前記収納手段の在り高との加算値が、前記一の取引の前記伝票金額を含む前記伝票金額の累計値を超えない場合に、前記貯留手段に貯留した貨幣を、前記操作手段への承認操作入力時に前記収納手段に収納することを特徴とする貨幣処理システム。
【請求項４】
一の取引で前記入金識別手段の識別結果に基づき割り出される貨幣の入金金額と前記一の取引の伝票金額とを比較する比較手段を備え、
前記制御手段は、前記一の取引において、前記管理者在席状況管理手段が管理者在席無しとした場合、前記比較手段の比較結果から前記入金金額が前記伝票金額より大きいと判断すると、前記一の取引の入金金額と前記収納手段の在り高との加算値が、前記一の取引の前記伝票金額を含む前記伝票金額の累計値を超える場合に、前記貯留手段に貯留した貨幣を、前記返却手段に返却することを特徴とする請求項１乃至３のいずれか一項記載の貨幣処理システム。
【請求項５】
投入された貨幣を繰り出す投入手段と、
該投入手段から繰り出された貨幣を識別する入金識別手段と、
該入金識別手段で正常と識別された貨幣を金種別に振り分ける第１の振分手段と、
該第１の振分手段で振り分けられた貨幣を繰り出し可能に収納する金種別の環流手段と、
前記金種別の環流手段から繰り出された貨幣を払い出す払出手段と、
前記金種別の環流手段から繰り出された貨幣を一時貯留する貯留手段と、
該貯留手段の貨幣を収納する収納手段と、
前記貯留手段の貨幣を返却する返却手段と、
前記入金識別手段で正常と識別された貨幣を前記貯留手段に振り分ける第２の振分手段と、
貨幣の取引操作の入力がなされる操作手段と、
を有する貨幣処理機と、
管理者の在席の有無を管理する管理者在席状況管理手段と、
を備えた貨幣処理システムにおいて、
前記管理者在席状況管理手段が管理者在席有りとした場合、貨幣の入金ルートを前記第１の振分手段を経て前記金種別の環流手段に収納する環流ルートに設定し、前記管理者在席状況管理手段が管理者在席無しとした場合、貨幣の入金ルートを前記第２の振分手段を経て前記貯留手段に貯留する非環流ルートに設定するルート切換手段と、
該ルート切換手段が貨幣の入金ルートを前記非環流ルートに設定している場合、前記貯留手段に貯留した貨幣を、前記操作手段への承認操作入力時に前記収納手段に収納する制御手段とを有し、
一の取引で前記入金識別手段の識別結果に基づき割り出される貨幣の入金金額と前記一の取引の伝票金額とを比較する比較手段を備え、
前記制御手段は、前記一の取引において、前記管理者在席状況管理手段が管理者在席無しとした場合、前記比較手段の比較結果から前記入金金額が前記伝票金額より大きいと判断すると、前記一の取引の入金金額と前記収納手段の在り高との加算値が、前記一の取引の前記伝票金額を含む前記伝票金額の累計値を超える場合に、前記貯留手段に貯留した貨幣を、前記返却手段に返却することを特徴とする貨幣処理システム。
【請求項６】
前記制御手段は、前記操作手段への売上金確定操作入力時に、伝票金額の累計値から前記収納手段の在り高を減算した金額分の貨幣を前記金種別の環流手段から前記収納手段に収納することを特徴とする請求項１乃至５のいずれか一項記載の貨幣処理システム。
【請求項７】
前記管理者在席状況管理手段が、複数台の前記貨幣処理機と通信可能であることを特徴とする請求項１乃至６のいずれか一項記載の貨幣処理システム。
【請求項８】
前記ルート切換手段は、一の取引中に、前記管理者在席状況管理手段が管理者在席有りを管理者在席無しに切り換えた場合、当該一の取引終了までは、貨幣の入金ルートを前記環流ルートに設定し続け、当該一の取引終了後に、貨幣の入金ルートを前記非環流ルートに切り換えることを特徴とする請求項１乃至７のいずれか一項記載の貨幣処理システム。
【請求項９】
前記ルート切換手段は、一の取引中に、前記管理者在席状況管理手段が管理者在席無しを管理者在席有りに切り換えた場合、当該一の取引終了までは、貨幣の入金ルートを前記非環流ルートに設定し続け、当該一の取引終了後に、貨幣の入金ルートを前記環流ルートに切り換えることを特徴とする請求項１乃至８のいずれか一項記載の貨幣処理システム。
【請求項１０】
前記貨幣処理機が取引中である旨を管理者に対し報知する報知手段を有することを特徴とする請求項１乃至９のいずれか一項記載の貨幣処理システム。
【発明の詳細な説明】
【技術分野】
【０００１】
本発明は、貨幣を入出金可能な貨幣処理システムに関する。
【背景技術】
【０００２】
貨幣処理機において、取り扱う貨幣の搬送ルートについて、非環流ルートと環流ルートとを選択手段によって選択可能としたものがある。この貨幣処理機では、ガソリンスタンド、コンビニエンスストア等の管理者が不在がちな場所で使用される場合に、管理者の不在時に、ジャム障害が発生し易い複雑な環流ルートの使用を避け、ジャム障害が発生し難い簡素な非環流ルートの使用を行うといった運用が可能となる（例えば、特許文献１参照）。
【先行技術文献】
【特許文献】
【０００３】
【特許文献１】特許第２７９６０３３号公報
【発明の概要】
【発明が解決しようとする課題】
【０００４】
ところで、貨幣処理機の処理について使用者と管理者側との間にトラブルが発生した場合、管理者が在席していれば、管理者の権限で対応可能であるが、管理者が不在の状況では、対応できないことがある。このため、管理者が不在の状況では、使用者と管理者側との間のトラブルを極力回避する必要があり、使用者が入金した貨幣の返却時に、入金された貨幣をそのまま返却するのが好ましい。しかしながら、上述した貨幣処理機では、非環流ルートにおいて、入金された貨幣をそのまま返却することはできなかった。
【０００５】
したがって、本発明は、使用者と管理者側との間のトラブルを極力回避することができる貨幣処理システムの提供を目的とする。
【課題を解決するための手段】
【０００６】
上記目的を達成するために、請求項１，３，５に係る発明は、投入された貨幣を繰り出す投入手段と、該投入手段から繰り出された貨幣を識別する入金識別手段と、該入金識別手段で正常と識別された貨幣を金種別に振り分ける第１の振分手段と、該第１の振分手段で振り分けられた貨幣を繰り出し可能に収納する金種別の環流手段と、前記金種別の環流手段から繰り出された貨幣を払い出す払出手段と、前記金種別の環流手段から繰り出された貨幣を一時貯留する貯留手段と、該貯留手段の貨幣を収納する収納手段と、前記貯留手段の貨幣を返却する返却手段と、前記入金識別手段で正常と識別された貨幣を前記貯留手段に振り分ける第２の振分手段と、貨幣の取引操作の入力がなされる操作手段と、を有する貨幣処理機と、管理者の在席の有無を管理する管理者在席状況管理手段と、を備えた貨幣処理システムにおいて、前記管理者在席状況管理手段が管理者在席有りとした場合、貨幣の入金ルートを前記第１の振分手段を経て前記金種別の環流手段に収納する環流ルートに設定し、前記管理者在席状況管理手段が管理者在席無しとした場合、貨幣の入金ルートを前記第２の振分手段を経て前記貯留手段に貯留する非環流ルートに設定するルート切換手段と、該ルート切換手段が貨幣の入金ルートを前記非環流ルートに設定している場合、前記貯留手段に貯留した貨幣を、前記操作手段への承認操作入力時に前記収納手段に収納する制御手段とを有することを特徴とする。
【０００７】
請求項１に係る発明は、前記第１の振分手段および前記金種別の環流手段を開放可能な第１開放手段と、前記第２の振分手段および前記貯留手段を開放可能な第２開放手段と、これら第１開放手段および第２開放手段の開放を許可する許可手段と、を有し、前記許可手段は、管理者権限有りのとき前記第１開放手段および前記第２開放手段の両方の開放を許可する一方、管理者権限無しのとき前記第２開放手段のみの開放を許可することを特徴とする。
【０００８】
請求項２，３に係る発明は、一の取引で前記入金識別手段の識別結果に基づき割り出される貨幣の入金金額と前記一の取引の伝票金額とを比較する比較手段を備え、前記制御手段は、前記一の取引において、前記管理者在席状況管理手段が管理者在席無しとした場合、前記比較手段の比較結果から前記入金金額が前記伝票金額より大きいと判断すると、前記一の取引の入金金額と前記収納手段の在り高との加算値が、前記一の取引の前記伝票金額を含む前記伝票金額の累計値を超えない場合に、前記貯留手段に貯留した貨幣を、前記操作手段への承認操作入力時に前記収納手段に収納することを特徴とする。
【０００９】
請求項４，５に係る発明は、一の取引で前記入金識別手段の識別結果に基づき割り出される貨幣の入金金額と前記一の取引の伝票金額とを比較する比較手段を備え、前記制御手段は、前記一の取引において、前記管理者在席状況管理手段が管理者在席無しとした場合、前記比較手段の比較結果から前記入金金額が前記伝票金額より大きいと判断すると、前記一の取引の入金金額と前記収納手段の在り高との加算値が、前記一の取引の前記伝票金額を含む前記伝票金額の累計値を超える場合に、前記貯留手段に貯留した貨幣を、前記返却手段に返却することを特徴とする。
【００１０】
請求項６に係る発明は、請求項１乃至５のいずれか一項に係る発明において、前記制御手段は、前記操作手段への売上金確定操作入力時に、伝票金額の累計値から前記収納手段の在り高を減算した金額分の貨幣を前記金種別の環流手段から前記収納手段に収納することを特徴とする。
【００１１】
請求項７に係る発明は、請求項１乃至６のいずれか一項に係る発明において、前記管理者在席状況管理手段が、複数台の前記貨幣処理機と通信可能であることを特徴とする。
【００１２】
請求項８に係る発明は、請求項１乃至７のいずれか一項に係る発明において、前記ルート切換手段は、一の取引中に、前記管理者在席状況管理手段が管理者在席有りを管理者在席無しに切り換えた場合、当該一の取引終了までは、貨幣の入金ルートを前記環流ルートに設定し続け、当該一の取引終了後に、貨幣の入金ルートを前記非環流ルートに切り換えることを特徴とする。
【００１３】
請求項９に係る発明は、請求項１乃至８のいずれか一項に係る発明において、前記ルート切換手段は、一の取引中に、前記管理者在席状況管理手段が管理者在席無しを管理者在席有りに切り換えた場合、当該一の取引終了までは、貨幣の入金ルートを前記非環流ルートに設定し続け、当該一の取引終了後に、貨幣の入金ルートを前記環流ルートに切り換えることを特徴とする。
【００１４】
請求項１０に係る発明は、請求項１乃至９のいずれか一項に係る発明において、前記貨幣処理機が取引中である旨を管理者に対し報知する報知手段を有することを特徴とする。
【発明の効果】
【００１５】
請求項１，３，５に係る発明によれば、ルート切換手段が、管理者在席状況管理手段が管理者在席有りとした場合、貨幣の入金ルートを第１の振分手段を経て金種別の環流手段に収納する環流ルートに設定し、管理者在席状況管理手段が管理者在席無しとした場合、貨幣の入金ルートを第２の振分手段を経て貯留手段に貯留する非環流ルートに設定するため、管理者が在席しない状況では、貯留手段に貨幣を貯留する非環流ルートで搬送し、その際に、制御手段が、貯留手段に貯留した貨幣を、操作手段への承認操作入力時に収納手段に収納することになる。したがって、管理者が不在の状況では、入金した貨幣についての承認操作入力前の返却時に、入金された貨幣をそのまま返却することが可能となり、使用者と管理者側との間のトラブルを極力回避することができる。
【００１６】
請求項１に係る発明によれば、許可手段が、管理者権限有りのとき第１開放手段および第２開放手段の両方の開放を許可することにより、非環流ルートの第２の振分手段と環流ルートの第１の振分手段および金種別の環流手段とを開放可能となり、管理者権限無しのとき第２開放手段のみの開放を許可することにより、非環流ルートの第２の振分手段および貯留手段のみを開放可能となる。したがって、管理者権限無しのとき、一の取引中に貨幣処理機に異常が発生すると、この取引で入金された貨幣の入金ルートである非環流ルートのみをアクセス可能に開放し、その前までに入金された貨幣にアクセス可能な第１の振分手段および金種別の環流手段へのアクセスは規制することができる。よって、管理者が不在の状態でも、管理上問題を生じることなく、貨幣処理機を異常から復旧可能となる。
【００１７】
請求項２，３に係る発明によれば、制御手段が、一の取引において、管理者在席無しの場合、比較手段の比較結果から入金金額が伝票金額より大きいと判断すると、この一の取引の入金金額と収納手段の在り高との加算値が、この一の取引の伝票金額を含む伝票金額の累計値を超えない場合に、貯留手段に貯留した貨幣を収納手段に収納するため、収納手段の在り高が伝票金額つまり売上金の累計値を超えてしまうことがなくなる。よって、貨幣の機外回収時に、収納手段から売上金を上回る分の貨幣を取り除く必要がなくなり、管理上安全となる。
【００１８】
請求項４，５に係る発明によれば、制御手段が、一の取引において、管理者在席無しの場合、比較手段の比較結果から入金金額が伝票金額より大きいと判断すると、この一の取引の入金金額と収納手段の在り高との加算値が、この一の取引の伝票金額を含む伝票金額の累計値を超える場合には、貯留手段に貯留した貨幣を、返却手段に返却するため、収納手段の在り高が伝票金額つまり売上金の累計値を超えてしまうことがなくなる。よって、貨幣の機外回収時に、収納手段から売上金を上回る分の貨幣を取り除く必要がなくなり、管理上安全となる。その上、返却手段に返却することで、その後の他の取引が可能な状況になる。なお、返却された貨幣については、管理者在席有りの状況となったら、非環流ルートで入金することになる。
【００１９】
請求項６に係る発明によれば、制御手段は、操作手段への売上金確定操作入力時に、伝票金額の累計値から収納手段の在り高を減算した金額分の貨幣を金種別の環流手段から収納手段に収納するため、貨幣の機外回収時に収納手段ごと回収すれば、売上金の金額をそのまま回収することができる。
【００２０】
請求項７に係る発明によれば、管理者在席状況管理手段が、複数台の貨幣処理機と通信可能であるため、複数台の貨幣処理機で管理者在席状況管理手段を共用できる。
【００２１】
請求項８に係る発明によれば、一の取引中に、管理者在席有りが管理者在席無しに切り換わった場合でも、当該一の取引終了までは、貨幣の入金ルートを環流ルートに設定し続け、当該一の取引終了後に、貨幣の入金ルートを非環流ルートに切り換えるため、処理の途中で入金ルートが切り換わってしまうことがなくなる。したがって、管理上好ましい。
【００２２】
請求項９に係る発明によれば、一の取引中に、管理者在席無しが管理者在席有りに切り換わった場合でも、当該一の取引終了までは、貨幣の入金ルートを非環流ルートに設定し続け、当該一の取引終了後に、貨幣の入金ルートを環流ルートに切り換えるため、処理の途中で入金ルートが切り換わってしまうことがなくなる。したがって、管理上好ましい。
【００２３】
請求項１０に係る発明によれば、報知手段が、貨幣処理機が取引中である旨を管理者に対し報知するため、貨幣処理機が取引中に管理者が不在となる状況を回避可能となる。
【図面の簡単な説明】
【００２４】
【図１】本発明に係る一実施形態の貨幣処理システムを構成する貨幣処理機の硬貨入出金装置部を概略的に示す側断面図である。
【図２】本発明に係る一実施形態の貨幣処理システムを構成する貨幣処理機の硬貨入出金装置部を概略的に示す平断面図である。
【図３】本発明に係る一実施形態の貨幣処理システムを構成する貨幣処理機の硬貨入出金装置部を概略的に示す平断面図である。
【図４】本発明に係る一実施形態の貨幣処理システムを示す制御系ブロック図である。
【図５】本発明に係る一実施形態の貨幣処理システムを構成する貨幣処理機の紙幣入出金装置部を概略的に示す側断面図である。
【図６】本発明に係る一実施形態の貨幣処理システムを示す制御系ブロック図である。
【発明を実施するための形態】
【００２５】
本発明に係る一実施形態の貨幣処理システムを図面を参照して以下に説明する。
図１に示す本実施形態の貨幣処理システムを構成する貨幣処理機１０は、例えば、宅配便の基地センタに設置され、宅配便のドライバが使用者であって、顧客から代金引換で回収した代金を入金したり、代金引換のための釣銭準備金を仮払いしたりする際に用いられるものである。
【００２６】
貨幣処理機１０は、貨幣のうちの硬貨を処理する図１〜図４に示す硬貨入出金装置部１１と、貨幣のうちの紙幣を処理する図５および図６に示す紙幣入出金装置部１２とが一体に並設されたものである。なお、以下の説明において、前は貨幣処理機１０の操作者側（手前側）、後は貨幣処理機１０の操作者に対し反対側（奥側）である。
【００２７】
まず、硬貨入出金装置部１１について図１〜図４を参照して説明する。
【００２８】
硬貨入出金装置部１１には、前側つまり操作者側（図１の左側）の上部に、複数金種が混在する金種混合状態で硬貨が機外から一括投入され、このように投入された硬貨を貯留しつつ一枚ずつ分離して繰り出す硬貨入金口（投入手段）１５が設けられており、硬貨入金口１５の下側に、機内からリジェクトされたリジェクト硬貨を機外に取出可能に貯留する硬貨リジェクト口１６が設けられ、その下側に、機内から出金された硬貨を機外に取出可能に貯留する硬貨出金口（払出手段）１７が設けられている。さらに、硬貨入出金装置部１１には、硬貨出金口１７の下側に、硬貨を金種混合状態で一時貯留する一時貯留部（貯留手段）１８が設けられ、この硬貨一時貯留部１８の下側に、返却時に硬貨一時貯留部１８から硬貨を受け取って金種混合状態で貯留する返却箱（返却手段）１９と、硬貨一時貯留部１８から硬貨を受け取って金種混合状態で収納する硬貨収納庫（収納手段）２０とが設けられている。これら返却箱１９および硬貨収納庫２０は、貨幣処理機１０の機体１に対して着脱可能となっている。よって、硬貨一時貯留部１８は、硬貨を返却箱１９を介して返却可能となるように一時貯留するとともに、一時貯留した硬貨を硬貨収納庫２０に収納可能となっている。
【００２９】
硬貨入出金装置部１１は、図２に示すように、硬貨入金口１５に投入された硬貨を左右方向一側に搬送する第１搬送部２５と、この第１搬送部２５の下流側に接続され、この第１搬送部２５から硬貨を受け取り水平方向において鋭角に折り返しつつ後方に搬送する第２搬送部２６とを有する入金硬貨搬送部２７を備えている。
【００３０】
硬貨入金口１５は、硬貨が外から投入されるとともに投入された硬貨を下方に案内する筒状のホッパ部３０と、硬貨入金口１５の底部を形成するようにホッパ部３０の下方に設けられこの位置から側方に延出してこの延出方向に硬貨を搬送する無端のベルトコンベア３１と、ベルトコンベア３１の上側に配置され、ベルトコンベア３１の搬送方向とは逆方向に対向部分を移動させる図示せぬ分離ローラと、ベルトコンベア３１および分離ローラを正逆駆動する共通の駆動源である図４に示す入金硬貨繰出駆動部３２とを有している。そして、硬貨入金口１５は、ホッパ部３０に投入された硬貨を、入金硬貨繰出駆動部３２の駆動力で回転するベルトコンベア３１によりその延在方向に送り途中位置に設けられた図示せぬ分離ローラで一枚ずつに分離してさらに下流側に繰り出す。
【００３１】
硬貨入金口１５のベルトコンベア３１は、硬貨入金口１５を構成する一方で、この硬貨入金口１５に投入された硬貨を搬送する上記した第１搬送部２５をも構成している。ベルトコンベア３１で構成される第１搬送部２５の終点部には、ベルトコンベア３１から硬貨を受け取って機体後方に搬送する第２搬送部２６の搬送路３３の始点部が接続されている。
【００３２】
第２搬送部２６は、第１搬送部２５のベルトコンベア３１から搬送路３３上に移送された硬貨を搬送路３３に上側から押し付けながら両側の壁部３５，３６で案内しつつ搬送路３３に沿って搬送する複数の移送ベルト３７，３８と、これら移送ベルト３７，３８を駆動する図４に示す入金硬貨搬送駆動部３９とを有している。
【００３３】
移送ベルト３７，３８は、直線状に延在する搬送路３３に対し若干傾斜する直線状に設けられており、硬貨を幅寄せするように片側の壁部３５に押し付けながら搬送するようになっている。
【００３４】
搬送路３３には、その上流側に、硬貨入金口１５から繰り出されて第１搬送部２５および第２搬送部２６で搬送される硬貨の磁気的性質や画像あるいは外径等を検出することでその金種の識別および金種別の計数等を行う硬貨識別部（入金識別手段）４４が設けられ、この硬貨識別部４４の下流側には硬貨識別部４４の識別結果に基づいて偽硬貨等の受け入れ不可なリジェクト硬貨を搬送路３３から排除可能な開閉リジェクト部４５が設けられている。この開閉リジェクト部４５は、搬送路３３に形成されたリジェクト孔４６およびこれを開閉させるシャッタ４７を有している。
【００３５】
また、搬送路３３には、この開閉リジェクト部４５の下流側に、硬貨識別部４４で正常と識別された受け入れ可能な受入硬貨を搬送路３３から落下可能な開閉選別部（第２の振分手段）５０が設けられている。この開閉選別部５０は、搬送路３３に形成された全金種の硬貨を落下可能な選別孔５１およびこれを開閉させるシャッタ５２を有しており、後述する環流モードにて硬貨識別部４４で正常と識別された硬貨を後述する選別孔５３〜５８に案内し、後述する非環流モードにて硬貨識別部４４で正常と識別された硬貨を硬貨一時貯留部１８に直接案内する。よって、開閉選別部５０は、硬貨識別部４４で正常と識別された硬貨を硬貨一時貯留部１８と開閉選別部５０より下流側の選別孔５３〜５８とに振り分ける。
【００３６】
搬送路３３には、この開閉選別部５０の下流側に選別孔（第１の振分手段）５３〜５８が形成されている。これら選別孔５３〜５８は硬貨を外径で選別する。つまり、基準面となる左側の壁部３５で案内されて移動する硬貨を外径の小さい順に選別するように、硬貨の搬送方向に沿って上流側から下流側に、１円硬貨用の最も小さい選別孔５３、選別孔５３よりも大きい、５０円硬貨用の選別孔５４、選別孔５４よりも大きい、５円硬貨用の選別孔５５、選別孔５５よりも大きい、１００円硬貨用の選別孔５６、選別孔５６よりも大きい、１０円硬貨用の選別孔５７、選別孔５７よりも大きい、５００円硬貨用の選別孔５８が、この順番に形成されている。つまり、選別孔５３〜５８は、硬貨識別部４４で正常と識別された硬貨を金種別に振り分ける。
【００３７】
開閉リジェクト部４５の上流側の直前位置には通過する硬貨を検出する硬貨検出センサ４５Ａが設けられており、開閉選別部５０の上流側の直前位置には同様の硬貨検出センサ５０Ａが、選別孔５３の上流側の直前位置には同様の硬貨検出センサ５３Ａが、選別孔５４の上流側の直前位置には同様の硬貨検出センサ５４Ａが、選別孔５５の上流側の直前位置には同様の硬貨検出センサ５５Ａが、選別孔５６の上流側の直前位置には同様の硬貨検出センサ５６Ａが、選別孔５７の上流側の直前位置には同様の硬貨検出センサ５７Ａが、選別孔５８の上流側の直前位置には同様の硬貨検出センサ５８Ａが、それぞれ設けられている。硬貨検出センサ４５Ａ，５０Ａは硬貨の検出数の差から開閉リジェクト部４５で落下した硬貨の数を計数することになり、硬貨検出センサ５０Ａ，５３Ａは開閉選別部５０で落下した硬貨の数を、硬貨検出センサ５３Ａ，５４Ａは選別孔５３で落下した硬貨の数を、硬貨検出センサ５４Ａ，５５Ａは選別孔５４で落下した硬貨の数を、硬貨検出センサ５５Ａ，５６Ａは選別孔５５で落下した硬貨の数を、硬貨検出センサ５６Ａ，５７Ａは選別孔５６で落下した硬貨の数を、硬貨検出センサ５７Ａ，５８Ａは選別孔５７で落下した硬貨の数を、硬貨検出センサ５８Ａは選別孔５８で落下した硬貨の数を、それぞれ計数することになる。
【００３８】
開閉選別部５０の直下には図１に示すシュート５９が、選別孔５３の直下にはシュート６０が、選別孔５４の直下にはシュート６１が、選別孔５５の直下にはシュート６２が、選別孔５６の直下にはシュート６３が、選別孔５７の直下にはシュート６４が、選別孔５８の直下にはシュート６５が、それぞれ設けられている。シュート５９の下側に硬貨一時貯留部１８が設けられており、シュート６０〜６５の下側には、図３に示すようにそれぞれが前後方向に沿う状態で左右方向に並べられた複数具体的には６カ所の硬貨出金収納部（環流手段）７０〜７５が設けられている。硬貨出金収納部７０〜７５は、金種別のもので、選別孔５３〜５８で振り分けられた硬貨を繰り出し可能に収納する。
【００３９】
具体的に、最も前側の選別孔５３から落下された１円硬貨はシュート６０を介して左右方向一端の１円硬貨専用の硬貨出金収納部７０に貯留される。前から二番目の５０円硬貨用の選別孔５４で落下された５０円硬貨はシュート６１を介して硬貨出金収納部７０と隣り合う５０円硬貨専用の硬貨出金収納部７１に貯留され、前から三番目の５円硬貨用の選別孔５５で落下された５円硬貨はシュート６２を介して硬貨出金収納部７１と隣り合う５円硬貨専用の硬貨出金収納部７２に貯留され、前から四番目の１００円硬貨用の選別孔５６で落下された１００円硬貨はシュート６３を介して硬貨出金収納部７２と隣り合う１００円硬貨専用の硬貨出金収納部７３に貯留され、前から五番目の１０円硬貨用の選別孔５７で落下された１０円硬貨はシュート６４を介して硬貨出金収納部７３と隣り合う１０円硬貨専用の硬貨出金収納部７４に貯留され、最も後側の５００円硬貨用の選別孔５８で落下された５００円硬貨はシュート６５を介して硬貨出金収納部７４と隣り合う左右方向他端の５００円硬貨専用の硬貨出金収納部７５に貯留される。なお、開閉リジェクト部４５で落下された硬貨は図１に示すリジェクトシュート７６で前側の硬貨リジェクト口１６に案内される。
【００４０】
各硬貨出金収納部７０〜７５は、それぞれの底部を形成するように前後方向に延在する状態で左右方向に並設されて回転時に硬貨出金口１７側に硬貨を搬送する無端のベルトコンベア７７と、ベルトコンベア７７の搬送方向とは逆方向に対向部分を移動させるように回転する分離ローラ７８と、ベルトコンベア７７および分離ローラ７８を正逆駆動する共通の駆動源である図４に示す出金硬貨搬送駆動部７９とを有している。
【００４１】
ここで、図１に示すように、ベルトコンベア７７は、下流側が上側に位置するように傾斜しており、その上部側所定位置に上記した分離ローラ７８が配置されている。
【００４２】
そして、硬貨出金収納部７０〜７５は、出金硬貨搬送駆動部７９の駆動力によりすべてのベルトコンベア７７を一度に回転させることで硬貨を硬貨出金口１７側に搬送することになり、このとき、それぞれの分離ローラ７８が、硬貨出金口１７側に繰り出される硬貨を一枚ずつに分離する。
【００４３】
図３に示すように、硬貨出金収納部７０は、分離ローラ７８よりも下流側でベルトコンベア７７に向けて上から図示せぬピンを進退させることで硬貨の繰り出しを規制および許容するソレノイド８０と、ソレノイド８０の駆動でベルトコンベア７７から硬貨出金口１７に向けて繰り出される硬貨を計数する出金計数センサ７０Ａとを有している。同様に、硬貨出金収納部７１はソレノイド８１および出金計数センサ７１Ａを、硬貨出金収納部７２はソレノイド８２および出金計数センサ７２Ａを、硬貨出金収納部７３はソレノイド８３および出金計数センサ７３Ａを、硬貨出金収納部７４はソレノイド８４および出金計数センサ７４Ａを、硬貨出金収納部７５はソレノイド８５および出金計数センサ７５Ａを、それぞれ有している。
【００４４】
硬貨出金収納部７０〜７５と硬貨出金口１７との間には、図１に示すように、硬貨出金収納部７０〜７５から繰り出された硬貨を案内するシュート部９０が設けられており、このシュート部９０には、シュート部９０の下部を開閉する振分部材９１を、ソレノイド等の電気的駆動で揺動させることで、閉じて硬貨を硬貨出金口１７に案内する状態と、開いて硬貨を下方に落下させる状態とに切り換える振分部９２が設けられている。振分部材９１を開状態とすることで、シュート部９０の硬貨をシュート９４で案内して硬貨一時貯留部１８に落下させる。よって、硬貨出金口１７は、金種別の硬貨出金収納部７０〜７５から繰り出された硬貨を機外に払い出すことになり、硬貨一時貯留部１８は、金種別の硬貨出金収納部７０〜７５から繰り出された硬貨を一時貯留することになる。そして、硬貨収納庫２０は、硬貨一時貯留部１８で一時貯留されることになった、金種別の硬貨出金収納部７０〜７５から繰り出された硬貨を収納する。
【００４５】
硬貨一時貯留部１８は、上下に開口する筒状の囲壁部９５と、囲壁部９５の下部開口を閉塞可能な底板９６とを有している。囲壁部９５は、図４に示す壁スライド部９７の駆動で前後方向にスライドし、底板９６は底板スライド部９８の駆動で前後方向にスライドすることになる。
【００４６】
図１に示すように、硬貨一時貯留部１８の下側には、硬貨一時貯留部１８の硬貨を返却する上記した返却箱１９と、上下に開口する筒状のシュート９９とが前後に並設されており、シュート９９の下側に、硬貨一時貯留部１８の硬貨を収納する上記した硬貨収納庫２０が配置されている。
【００４７】
硬貨一時貯留部１８は、囲壁部９５および底板９６が可動範囲の中央位置にある待機状態では、シュート９４で案内されて落下する硬貨を受け取って貯留することになり、この待機状態から、囲壁部９５が返却箱１９の方向にスライドし、底板９６が返却箱１９とは反対方向にスライドすることで、硬貨を返却箱１９に放出する一方、待機状態から、囲壁部９５がシュート９９の方向にスライドし、底板９６がシュート９９とは反対方向にスライドすることで、硬貨をシュート９９に放出しシュート９９を介して硬貨収納庫２０に収納する。
【００４８】
硬貨収納庫２０は、硬貨入出金装置部１１内で入金のみが可能な金種混合の収納庫であり、硬貨入出金装置部１１に取り付けられた状態でシュート９９を介して上部の開口部１００から硬貨を受け入れる。つまり、硬貨収納庫２０は、硬貨出金収納部７０〜７５から繰り出された硬貨を収納する。ここで、開口部１００には、これを開閉するシャッタ１０１が設けられており、このシャッタ１０１は、硬貨収納庫２０が硬貨入出金装置部１１に装填されると、この装填動作に連動して開口部１００を開き、硬貨収納庫２０が硬貨入出金装置部１１から取り外されると、この取り外し動作に連動して開口部１００を閉じる。また、取り出された硬貨収納庫２０は、図示せぬキーのキー操作によって、図示せぬ扉を開くことにより中に収納された硬貨が取り出し可能となる。硬貨入出金装置部１１の硬貨収納庫２０の下方には、棒金を収納する棒金保管庫１０２が設けられている。
【００４９】
貨幣処理機１０は、図４に示すように、制御部（管理者在席状況管理手段，ルート切換手段，制御手段，比較手段，許可手段）１０５と、制御プログラム等が記憶されたＲＯＭ１０６と、硬貨識別部４４の識別に基づく金種別の硬貨枚数等を記憶するＲＡＭ１０７と、貨幣の取引操作等、操作者による操作入力が行われる操作部（操作手段）１０８と、操作者への表示を行う案内表示部１０９とが設けられている。案内表示部１０９は、視覚的に表示を行う表示装置や表示灯と聴覚的に表示を行うスピーカ等とで構成されている。
【００５０】
また、制御部１０５には、硬貨入出金装置部１１の入金硬貨繰出駆動部３２、入金硬貨搬送駆動部３９、硬貨識別部４４、開閉リジェクト部４５、開閉選別部５０、硬貨検出センサ４５Ａ，５０Ａ，５３Ａ〜５８Ａ、出金硬貨搬送駆動部７９、ソレノイド８０〜８５、出金計数センサ７０Ａ〜７５Ａ、振分部９２、壁スライド部９７および底板スライド部９８が通信可能に接続されている。
【００５１】
制御部１０５は、本実施形態の貨幣処理システムを構成する、管理者の出社、帰社、外出および退社を含んで在席の状況を管理するタイムレコーダ（管理者在席状況管理手段）３００に通信可能とされている。タイムレコーダ３００は、貨幣処理機１０の外部に設置されるもので、制御部１０５は、このタイムレコーダ３００から出力される管理者の在席情報に基づいて、管理者の在席の有無を認識し管理する。つまり、管理者がタイムレコーダ３００に対し出社時および帰社時用の操作を行うと、タイムレコーダ３００は管理者が在席している旨の在席情報を貨幣処理機１０に出力することになり、これを受けて制御部１０５は管理者在席有りと認識する。また、管理者がタイムレコーダ３００に対し外出時および退社時用の操作を行うと、タイムレコーダ３００は管理者が在席していない旨の在席情報を貨幣処理機１０に出力することになり、これを受けて制御部１０５は管理者在席無しと認識する。
【００５２】
なお、図示は略すが、一台のタイムレコーダ３００は複数台の貨幣処理機１０に接続されており、複数台の貨幣処理機１０のそれぞれの制御部１０５は、共通のタイムレコーダ３００からの管理者の在席情報に基づいて、同様の制御を行う。なお、タイムレコーダ３００からの信号に因らず、管理者の在席状況を管理者のログインによって管理できるものであれば良く、例えば、それぞれの貨幣処理機１０の操作部１０８への、管理者のみが可能なログイン・ログアウト操作で管理者の在席の有無を認識するようにしても良い。または、複数台の貨幣処理機１０に接続されて、これら複数台の貨幣処理機１０を総合的に管理する管理機に、管理者の在席状況を管理させるようにしても良い。
【００５３】
制御部１０５は、管理者の在席情報から管理者在席有りとした場合、硬貨の入金ルートを、硬貨入金口１５、硬貨識別部４４、開閉リジェクト部４５、開閉選別部５０、選別孔５３〜５８およびシュート６０〜６５を経て金種別の硬貨出金収納部７０〜７５に収納する環流ルートに設定する環流モードを選択する。また、制御部１０５は、管理者の在席情報から管理者在席無しとした場合、硬貨の入金ルートを、硬貨入金口１５、硬貨識別部４４、開閉リジェクト部４５、開閉選別部５０およびシュート５９を経て硬貨一時貯留部１８に貯留する非環流ルートに設定する非環流モードを選択する。そして、制御部１０５は、非環流モードに設定した場合、非環流ルートの入金ルートで硬貨一時貯留部１８に貯留した硬貨を、操作部１０８への承認操作入力時に硬貨収納庫２０に収納する。
【００５４】
硬貨入出金装置部１１のうち、硬貨入金口１５のホッパ部３０およびベルトコンベア３１と、入金硬貨搬送部２７と、リジェクトシュート７６と、硬貨リジェクト口１６と、硬貨出金口１７と、シュート５９と、シュート６０〜６５と、硬貨出金収納部７０〜７５と、シュート部９０等は上部ユニット３０１としてユニット化されており、この上部ユニット３０１が、引出機構（第１開放手段，第２開放手段）３０２により貨幣処理機１０の機体１に対し前面側に引き出し可能に支持されている。
【００５５】
引出機構３０２は、上部ユニット３０１を上記した環流ルートおよび非環流ルートの両方を構成する開閉選別部５０の位置まで機体１からの引き出し可能とする第１段階と、上部ユニット３０１を環流ルートのみを構成する選別孔５３〜５８の位置まで機体１からの引き出し可能とする第２段階とに引き出し範囲が切り換えられるようになっている。第１段階で上部ユニット３０１が開閉選別部５０の位置まで機体１から引き出されると、入金硬貨搬送部２７の硬貨入金口１５と開閉選別部５０との間つまり環流ルートおよび非環流ルートを、操作者がアクセスできるように開放する。また、第２段階で上部ユニット３０１が選別孔５３〜５８の位置まで機体１からの引き出されると、入金硬貨搬送部２７の硬貨入金口１５から選別孔５３〜５８まで、つまり環流ルートを、操作者がアクセスできるように開放する。
【００５６】
そして、上部ユニット３０１は、第１段階ロック機構（許可手段）３０５で機体１に対し閉状態でロックされることになる。第１段階ロック機構３０５は、制御部１０５の駆動で上部ユニット３０１の機体１に対するロックを解除すると上部ユニット３０１の機体１からの第１段階までの引き出しを可能とし、上部ユニット３０１が引き出された開状態から閉状態になると自動的に上部ユニット３０１を機体１にロックする。
【００５７】
また、上部ユニット３０１は、第２段階ロック機構（許可手段）３０６で機体１に対し第１段階よりも第２段階側への移動が規制されることになり、第２段階ロック機構３０６は、管理者が所持する管理キー（許可手段）３０７のキー操作で上部ユニット３０１の第２段階側への移動規制を解除し、上部ユニット３０１が第２段階側から第１段階を超える位置まで閉方向に移動すると自動的に上部ユニット３０１の第２段階側への移動を規制する状態となる。
【００５８】
なお、制御部１０５は、ジャム等の異常発生時に自動的に第１段階ロック機構３０５を駆動して上部ユニット３０１のロックを解除することになり、その結果、第１段階までは上部ユニット３０１を引き出し可能となる。これに対して、第２段階には、管理者が所持する管理キー３０７のロック機構３０６を解除するキー操作がなければ、上部ユニット３０１を引き出せないようになっている。つまり、制御部１０５、引出機構３０２、第１段階ロック機構３０５および第２段階ロック機構３０６は、管理者権限を示すキー操作有りのとき、入金硬貨搬送部２７の硬貨入金口１５から選別孔５３〜５８までを操作者がアクセスできるように開放可能とし、管理者権限を示すキー操作無しのとき、入金硬貨搬送部２７の硬貨入金口１５から開閉選別部５０までを操作者がアクセスできるように開放可能とする。
【００５９】
また、入金硬貨搬送部２７は、環流ルートを構成する硬貨出金収納部７０〜７５を操作者がアクセスできるように開閉機構（第１開放手段）３０９で上部ユニット３０１に開放可能に支持されている。入金硬貨搬送部２７は、上部ユニット３０１が機体１に対し上記した第２段階まで引き出されると、上側に揺動して硬貨出金収納部７０〜７５を開放可能となるものの、上部ユニット３０１の第１段階までの引き出しでは、機体１に邪魔されて硬貨出金収納部７０〜７５を開放不可となっている。つまり、機体（許可手段）１は、管理者権限を示す、管理キー３０７のロック機構３０６を解除するキー操作が有りのとき、硬貨出金収納部７０〜７５を操作者がアクセスできるように開放可能とし、管理者権限を示すキー操作が無しのとき、硬貨出金収納部７０〜７５を操作者がアクセスできないようにその開放を規制する。
【００６０】
また、非環流ルートを構成する硬貨一時貯留部１８は、引出部３１０に設けられている。この引出部３１０は、操作者が硬貨一時貯留部１８にアクセス可能となるように引出機構（第２開放手段）３１１で機体１に対し前面側に引き出し可能に支持されている。引出部３１０は、ロック機構（許可手段）３１２で機体１に対し閉状態でロックされることになる。ロック機構３１２は、制御部１０５の駆動で引出部３１０の機体１に対するロックを解除し、引出部３１０が開状態から閉状態になると自動的に引出部３１０を機体１にロックする。よって、引出部３１０に設けられた硬貨一時貯留部１８は、ジャム等の異常発生時には、管理者権限を示すキー操作が無しでも、制御部１０５で制御されて、操作者がアクセスできるように引き出し可能となる。
【００６１】
加えて、返却箱１９も、機体１に対し前面側に引き出し可能に設けられた引出部３１５に設けられている。
【００６２】
硬貨収納庫２０、棒金保管庫１０２は、機体１の前面に設けられた揺動開閉可能な扉部３１８が開放されることで、操作者によりアクセス可能となっている。扉部３１８は、ロック機構３１９で機体１に対し閉状態でロックされることになる。ロック機構３１９は、管理者が所持する管理キー３０７のキー操作で扉部３１８の機体１に対するロックを解除し、扉部３１８が開状態から閉状態になると自動的に扉部３１８を機体１にロックする。
【００６３】
なお、管理キー３０７のキー操作の有無以外にも、図示は略すが、管理者のＩＤカードのカードリーダによる読み取りの有無や、管理者のＩＤ番号の操作部１０８への入力の有無、管理者の操作部１０８への生体認証の有無等によって、管理者権限の有無を判断するようにすることができる。
【００６４】
次に、紙幣入出金装置部１２について主に図５および図６を参照して説明する。
【００６５】
紙幣入出金装置部１２は、図５に示すように、前側つまり操作者側（図５の左側）の上部に、複数金種が混在する金種混合状態で紙幣が一括投入され、投入された紙幣を貯留する紙幣入金口（投入手段）１２１が設けられており、その下側に、機内から繰り出された紙幣を機外に取出可能に貯留する紙幣出金口（払出手段）１２２が設けられている。さらに、この紙幣出金口１２２の下側には、機体に対して引き出し可能であり紙幣を返却可能に金種混合状態で一時貯留する一時貯留部（貯留手段，返却手段）１２４と、この紙幣一時貯留部１２４から紙幣を受け取って金種混合状態で収納する、機体に対して着脱可能な紙幣収納庫（収納手段）１２５とが設けられている。よって、紙幣一時貯留部１２４は、紙幣を返却可能に一時貯留するとともに、一時貯留した紙幣を紙幣収納庫１２５に収納可能となっている。
【００６６】
紙幣入出金装置部１２は、紙幣入金口１２１に投入された紙幣を一枚ずつに分離して繰り出す入金紙幣繰出部（投入手段）１３０と、この入金紙幣繰出部１３０で繰り出された紙幣を搬送する入金紙幣搬送路１３１と、入金紙幣搬送路１３１の途中に設けられて搬送中の紙幣を識別し、正常と識別された紙幣を金種毎に計数する紙幣識別部（入金識別手段）１３２とを有している。
【００６７】
また、紙幣入出金装置部１２は、入金紙幣搬送路１３１の紙幣識別部１３２よりも下流側に設けられた振分部（第２の振分手段）１３４と、入金紙幣搬送路１３１の振分部１３４の位置から分岐するリジェクト紙幣搬送路１３５とを有している。リジェクト紙幣搬送路１３５は紙幣出金口１２２に接続する出金紙幣搬送路１３６に合流しており、振分部１３４は、紙幣識別部１３２の識別結果に応じて、識別不能券および搬送異常券とされた異常紙幣を振分部材１３４Ａによってリジェクト紙幣搬送路１３５側へと振り分ける。そして、異常紙幣は、リジェクト紙幣搬送路１３５から出金紙幣搬送路１３６を介して機外へ取出可能となるように紙幣出金口１２２に繰り出される。一方、振分部１３４は、真券且つ正常搬送券と識別された受入紙幣（正常と識別された紙幣）を振分部材１３４Ａによってそのまま入金紙幣搬送路１３１の下流側へと導く。紙幣入出金装置部１２は、この入金紙幣搬送路１３１の振分部１３４よりも下流側に、紙幣識別部１３２の識別結果に基づいて選別された紙幣を繰り出し可能に収納する入出金可能な複数具体的には三つの金種別のスタッカ（環流手段）１３８〜１４０を有している。
【００６８】
つまり、紙幣入出金装置部１２は、入金紙幣搬送路１３１の振分部１３４よりも下流側に、振分部材１４２Ａによって紙幣を分岐紙幣搬送路１４３側に振り分けて最も上流側のスタッカ１３８へと導く振分部（第１の振分手段）１４２を有しており、入金紙幣搬送路１３１の振分部１４２よりも下流側に、振分部材１４４Ａによって紙幣を分岐紙幣搬送路１４５側に振り分けて中間のスタッカ１３９へと導く振分部（第１の振分手段）１４４を有している。そして、入金紙幣搬送路１３１の振分部１４４よりも下流側には最も下流側のスタッカ１４０が接続されている。振分部１４２，１４４は、紙幣識別部１３２で正常と識別された貨幣を金種別にスタッカ１３８〜１４０に振り分ける。
【００６９】
スタッカ１３８は、上部から紙幣が一枚ずつ入金され、出金紙幣繰出部１３８ａが下部から紙幣を一枚ずつ分離して繰出紙幣搬送路１５０に繰り出す。スタッカ１３９も、上部から紙幣が一枚ずつ入金され、出金紙幣繰出部１３９ａが下部から紙幣を一枚ずつ分離して繰出紙幣搬送路１５１に繰り出す。スタッカ１４０も、上部から紙幣が一枚ずつ入金され、出金紙幣繰出部１４０ａが下部から紙幣を一枚ずつ分離して繰出紙幣搬送路１５２に繰り出す。
【００７０】
繰出紙幣搬送路１５０〜１５２は、上記した紙幣出金口１２２につながる出金紙幣搬送路１３６に接続されている。
【００７１】
紙幣入出金装置部１２は、出金紙幣搬送路１３６におけるリジェクト紙幣搬送路１３５の合流位置よりも下流側に設けられた振分部（第２の振分手段）１５４と、出金紙幣搬送路１３６の振分部１５４の位置から分岐する分岐紙幣搬送路１５５とを有しており、この分岐紙幣搬送路１５５には上記した紙幣一時貯留部１２４が接続されている。振分部１５４は、振分部材１５４Ａによって紙幣一時貯留部１２４に一時貯留させるべき紙幣を分岐紙幣搬送路１５５側へ、またそれ以外の紙幣をそのまま出金紙幣搬送路１３６の下流側へと振り分ける。具体的に、金種別のスタッカ１３８〜１４０から繰り出された紙幣を振分部１５４が紙幣一時貯留部１２４に一時貯留させたり、紙幣入金口１２１から繰り出され、紙幣識別部１３で正常と識別された紙幣を振分部１３４および振分部１５４が紙幣一時貯留部１２４に一時貯留させたりする。
【００７２】
また、紙幣入出金装置部１２は、出金紙幣搬送路１３６における振分部１５４よりも下流側に設けられた振分部１５７と、出金紙幣搬送路１３６の振分部１５７の位置から分岐する分岐紙幣搬送路１５８とを有しており、この分岐紙幣搬送路１５８には紙幣を貯留する紙幣リジェクト庫１５９が接続されている。振分部１５７は、振分部材１５７Ａによって紙幣リジェクト庫１５９に収納させるべき紙幣を分岐紙幣搬送路１５８側へ、またそれ以外の紙幣をそのまま出金紙幣搬送路１３６の下流側つまり紙幣出金口１２２側へと振り分ける。
【００７３】
紙幣一時貯留部１２４は、上下に開口する略筒状の囲壁部１７０と、囲壁部１７０の下部開口を閉塞可能な一対の底板１７１とを有している。一対の底板１７１は、図６に示す開閉スライド部１７２によって水平状態を維持したまま、互いに近接・離間可能に設けられており、互いに離間する方向にスライドすることで、囲壁部１７０の下部開口を開き、互いに近接する方向にスライドすることで、囲壁部１７０の下部開口を閉じる。紙幣一時貯留部１２４には、昇降するプッシャ１７３と、このプッシャ１７３を昇降させる図６に示すプッシャ昇降部１７４とが設けられている。また、紙幣一時貯留部１２４の囲壁部１７０および一対の底板１７１は、紙幣の返却のため、一対の底板１７１を閉じた状態で機体から引き出し可能となっている。
【００７４】
紙幣一時貯留部１２４に一時貯留した紙幣を収納する紙幣収納庫１２５は、箱状の収納庫本体１８０と、紙幣一時貯留部１２４から落下する紙幣を収納庫本体１８０の上部の開口部１８１を介して受け取る揺動可能な一対のフラッパ１８２と、一対のフラッパ１８２の下側で昇降可能に設けられた載置板１８３とを有している。一対のフラッパ１８２は、図示略のスプリングの付勢力により水平状態に維持され、この状態から相互近接側が下方に位置するように揺動して開く。また、載置板１８３は図示略のスプリングによって上昇方向に付勢されており、紙幣を閉状態のフラッパ１８２との間に挟んで保持する。
【００７５】
紙幣の収納時には、開閉スライド部１７２によって一対の底板１７１を離間方向にスライドさせることで、一対の底板１７１上に一時貯留していた紙幣を囲壁部１７０の下部開口から落下させる。すると、この紙幣は、開口部１８１を介して紙幣収納庫１２５の閉状態のフラッパ１８２上に載置される。次に、プッシャ昇降部１７４がプッシャ１７３を下降させることになり、これにより、プッシャ１７３は、紙幣を介してフラッパ１８２を図示略のスプリングの付勢力に抗して開いて、紙幣をフラッパ１８２より下側に移動させて載置板１８３上またはその上にすでに収納されている紙幣上に載置させることになり、その後、プッシャ１７３が上昇すると、載置板１８３が図示略のスプリングの付勢力で紙幣を閉状態のフラッパ１８２との間で挟んで保持する。なお、紙幣収納庫１２５には、収納庫本体１８０の上部の開口部１８１を閉塞可能なシャッタ１８４が設けられており、紙幣収納庫１２５が紙幣入出金装置部１２に装填されると、この装填動作に連動してシャッタ１８４が開口部１８１を開き、紙幣収納庫１２５が紙幣入出金装置部１２から取り外されると、この取り外し動作に連動してシャッタ１８４が開口部１８１を閉じることになる。紙幣収納庫１２５は、この状態から図示せぬキーのキー操作によって図示せぬ扉を開くことにより中に収納された紙幣が取り出し可能となる。
【００７６】
さらに、紙幣入出金装置部１２は、紙幣搬送路１３１，１３５，１３６，１４３，１４５，１５０〜１５２，１５５，１５８に設けられて、搬送される紙幣の状態やタイミングを確認するための複数の紙幣検出センサ１９１〜２０２を有している。
【００７７】
紙幣検出センサ１９１は、入金紙幣搬送路１３１における入金紙幣繰出部１３０と紙幣識別部１３２との間にあって、入金紙幣繰出部１３０によって入金紙幣搬送路１３１上に一枚ずつ繰り出された紙幣を検出するものであり、紙幣検出センサ１９２は、リジェクト紙幣搬送路１３５における振分部１３４の直後位置にあって振分部１３４でリジェクト紙幣搬送路１３５に振り分けられた紙幣を検出するものである。
【００７８】
また、紙幣検出センサ１９３はスタッカ１３８の直前位置の分岐紙幣搬送路１４３にあって振分部１４２で振り分けられてスタッカ１３８に入金される紙幣を検出するものであり、紙幣検出センサ１９４はスタッカ１３９の直前位置の分岐紙幣搬送路１４５にあって振分部１４４で振り分けられてスタッカ１３９に入金される紙幣を検出するものであって、紙幣検出センサ１９５はスタッカ１４０の直前位置の入金紙幣搬送路１３１にあってスタッカ１４０に入金される紙幣を検出するものである。
【００７９】
さらに、紙幣検出センサ１９６はスタッカ１３８の直後位置の繰出紙幣搬送路１５０にあってスタッカ１３８から繰り出された紙幣を検出するものであり、紙幣検出センサ１９７はスタッカ１３９の直後位置の繰出紙幣搬送路１５１にあってスタッカ１３９から繰り出された紙幣を検出するものであり、紙幣検出センサ１９８はスタッカ１４０の直後位置の繰出紙幣搬送路１５２にあってスタッカ１４０から繰り出された紙幣を検出するものである。
【００８０】
加えて、紙幣検出センサ１９９は出金紙幣搬送路１３６の繰出紙幣搬送路１５０〜１５２よりも下流側にあってすべてのスタッカ１３８〜１４０から繰り出された紙幣を検出するものであり、紙幣検出センサ２００は紙幣一時貯留部１２４の直前位置の分岐紙幣搬送路１５５にあって振分部１５４で振り分けられて紙幣一時貯留部１２４に導入される紙幣を検出するものであって、紙幣検出センサ２０１は紙幣リジェクト庫１５９の直前位置の分岐紙幣搬送路１５８にあって振分部１５７で振り分けられて紙幣リジェクト庫１５９に導入される紙幣を検出するものである。さらに、紙幣検出センサ２０２は、出金紙幣搬送路１３６の紙幣出金口１２２と振分部１５７との間にあって紙幣出金口１２２に繰り出される紙幣を検出するものである。
【００８１】
紙幣検出センサ１９１〜２０２は、光学式センサであって、配置された場所における紙幣の残留検知のみならず、タイミングを計ったり、搬送の状況（重送、斜行等）を見たり、計数を行ったりと、複数の機能を有する。
【００８２】
紙幣入出金装置部１２は硬貨入出金装置部１１と同様、制御部１０５で制御されることになり、制御部１０５には、図６に示すように、紙幣入出金装置部１２の入金紙幣繰出部１３０と、入金紙幣搬送路１３１および分岐紙幣搬送路１４３，１４５を駆動する入金紙幣搬送駆動部２０５と、各スタッカ１３８〜１４０の出金紙幣繰出部１３８ａ，１３９ａ，１４０ａと、出金紙幣搬送路１３６および繰出紙幣搬送路１５０〜１５２を駆動する出金紙幣搬送駆動部２０６と、リジェクト紙幣搬送路１３５を駆動するリジェクト紙幣搬送駆動部２０７と、紙幣識別部１３２と、振分部１３４，１４２，１４４，１５４，１５７と、紙幣検出センサ１９１〜２０２とが通信可能に接続されている。
【００８３】
ここで、三つのスタッカ１３８〜１４０はすべて金種別とされ、例えば、万円券が万円券専用にスタッカ１３８に、千円券が千円券専用のスタッカ１３９に、五千円券が五千円券専用のスタッカ１４０にそれぞれ収納されるようになっている。なお、スタッカ１３８〜１４０の金種設定はこれに限らず変更可能である。
【００８４】
制御部１０５は、タイムレコーダ３００から出力される管理者の在席情報から管理者在席有りとした場合、紙幣の入金ルートを、紙幣入金口１２１から入金紙幣搬送路１３１に設けられた紙幣識別部１３２および振分部１３４を経て、金種別のスタッカ１３８〜１４０に収納する環流ルートに設定する環流モードを選択する。また、制御部１０５は、管理者の在席情報から管理者在席無しとした場合、紙幣の入金ルートを、紙幣入金口１２１から入金紙幣搬送路１３１に設けられた紙幣識別部１３２および振分部１３４、さらにはリジェクト紙幣搬送路１３５、振分部１５４および分岐紙幣搬送路１５５を経て、紙幣一時貯留部１２４に貯留する非環流ルートに設定する非環流モードを選択する。そして、制御部１０５は、非環流モードに設定した場合、非環流ルートの入金ルートで紙幣一時貯留部１２４に貯留した紙幣を、操作部１０８への承認操作入力時に紙幣収納庫１２５に収納する。
【００８５】
紙幣入出金装置部１２の側部には、環流ルートおよび非環流ルートを共通で構成する入金紙幣搬送路１３１の振分部１３４から上流側、振分部１３４、リジェクト紙幣搬送路１３５、振分部１５４、分岐紙幣搬送路１５５、振分部１５７および分岐紙幣搬送路１５８を、操作者がアクセス可能となるように開放する扉部（第２開放手段）３３０が設けられている。この扉部３３０は、ロック機構（許可手段）３３１で機体１に対し閉状態でロックされることになる。ロック機構３３１は、制御部１０５の駆動で扉部３３０の機体１に対するロックを解除し、扉部３３０が開状態から閉状態になると自動的に扉部３３０をロックする。入金紙幣搬送路１３１の振分部１３４から上流側、振分部１３４、リジェクト紙幣搬送路１３５、振分部１５４、分岐紙幣搬送路１５５、振分部１５７および分岐紙幣搬送路１５８は、異常発生時には、管理者権限を示すキー操作が無しでも、制御部１０５で制御されて、操作者がアクセス可能となるように開放可能となる。
【００８６】
また、非環流ルートを構成する紙幣一時貯留部１２４は、引出部３５０に設けられている。この引出部３５０は、操作者が紙幣一時貯留部１２４にアクセス可能となるように引出機構（第２開放手段）３５１で機体１に対し前面側に引き出し可能に支持されている。引出部３５０は、ロック機構（許可手段）３５２で機体１に対し閉状態でロックされることになる。ロック機構３５２は、制御部１０５の駆動で引出部３５０の機体１に対するロックを解除し、引出部３５０が開状態から閉状態になると自動的に引出部３５０を機体１にロックする。引出部３５０に設けられた紙幣一時貯留部１２４は、ジャム等の異常発生時には、管理者権限を示すキー操作が無しでも、制御部１０５で制御されて、操作者がアクセス可能となるように引き出され開放される。
【００８７】
また、紙幣入出金装置部１２の側部には、環流ルートのみを構成する入金紙幣搬送路１３１の振分部１３４よりも下流側、振分部１４２、分岐紙幣搬送路１４３、振分部１４４、分岐紙幣搬送路１４５、スタッカ１３８〜１４０、繰出紙幣搬送路１５０〜１５２、および出金紙幣搬送路１３６を、操作者がアクセス可能となるように開放する扉部（第１開放手段）３３５が設けられている。この扉部３３５は、ロック機構（許可手段）３３６で機体１に対し閉状態でロックされることになる。ロック機構３３６は、管理者が所持する管理キー３０７のキー操作で扉部３３５の機体１に対するロックを解除し、扉部３３５が開状態から閉状態になると自動的に扉部３３５をロックする。
【００８８】
つまり、扉部３３５、ロック機構３３６は、管理者権限を示すキー操作有りのとき、環流ルートを構成する入金紙幣搬送路１３１の振分部１３４よりも下流側、振分部１４２、分岐紙幣搬送路１４３、振分部１４４、分岐紙幣搬送路１４５、スタッカ１３８〜１４０、繰出紙幣搬送路１５０〜１５２、および出金紙幣搬送路１３６に、アクセスできるように開放可能とする。扉部３３０およびロック機構３３１は、管理者権限を示すキー操作無しのときでも、非環流ルートを構成する入金紙幣搬送路１３１の振分部１３４より上流側、振分部１３４、リジェクト紙幣搬送路１３５、振分部１５４、分岐紙幣搬送路１５５、振分部１５７および分岐紙幣搬送路１５８を操作者がアクセスできるように開放可能とする。引出機構３５１およびロック機構３５２は、管理者権限を示すキー操作無しのときでも、非環流ルートを構成する紙幣一時貯留部１２４を操作者がアクセスできるように開放可能とする。
【００８９】
紙幣収納庫１２５は、機体１の前面に設けられた揺動開閉可能な扉部３３８が開放されることで、アクセス可能となっている。扉部３３８は、ロック機構３３９で機体１に対し閉状態でロックされることになる。ロック機構３３９は、管理者が所持する管理キー３０７のキー操作で扉部３３８の機体１に対するロックを解除し、扉部３３８が開状態から閉状態になると自動的に扉部３３８を機体１にロックする。
【００９０】
次に、各処理について説明する。なお、上述した通り、制御部１０５は、タイムレコーダ３００からの管理者の在席情報から管理者在席有りと判断した場合、入金処理について環流モードを選択し、管理者の在席情報から管理者在席無しと判断した場合、入金処理について非環流モードを選択する。
【００９１】
〔環流モードでの入金処理〕
一の取引開始にあたって、硬貨入金口１５に硬貨が投入され、紙幣入金口１２１に紙幣が投入された状態で、操作部１０８に、この一の取引の伝票金額の入力を含む入金操作が入力されると、制御部１０５は、硬貨入出金装置部１１については硬貨入金処理の硬貨環流入金案内処理を開始することになり、紙幣入出金装置部１２については紙幣入金処理の紙幣環流入金案内処理を開始することになる。
【００９２】
「硬貨環流入金案内処理」
硬貨入金口１５の硬貨をベルトコンベア３１および図示せぬ分離ローラで一枚ずつ分離して入金硬貨搬送部２７に繰り出し、入金硬貨搬送部２７で搬送しつつ硬貨識別部４４で識別する。そして、硬貨識別部４４の識別結果に基づき、識別異常とされたリジェクト硬貨を、開閉リジェクト部４５によりリジェクト孔４６から落下させ硬貨リジェクト口１６に繰り出させることで、機外にリジェクトする。
【００９３】
他方、硬貨識別部４４の識別結果に基づき、正常な硬貨と識別された受入硬貨を、閉状態の開閉リジェクト部４５によってそのまま入金硬貨搬送部２７の下流側に移動させる。その結果、受入硬貨を、選別孔５３〜５８の対応するもので選別して硬貨出金収納部７０〜７５の対応するものに貯留する。つまり、１円硬貨であれば選別孔５３で硬貨出金収納部７０に貯留し、５０円硬貨であれば選別孔５４で硬貨出金収納部７１に貯留し、５円硬貨であれば選別孔５５で硬貨出金収納部７２に貯留し、１００円硬貨であれば選別孔５６で硬貨出金収納部７３に貯留し、１０円硬貨であれば選別孔５７で硬貨出金収納部７４に貯留し、５００円硬貨であれば選別孔５８で硬貨出金収納部７５に貯留する。そして、制御部１０５は、硬貨識別部４４の識別結果つまり金種毎の計数値をＲＡＭ１０７に一時的に記憶させる。
【００９４】
そして、制御部１０５は、硬貨環流入金案内処理中に、入金硬貨繰出駆動部３２および入金硬貨搬送駆動部３９が駆動状態にあっても硬貨識別部４４によって硬貨が検出されない状態が所定時間以上になると、硬貨入金口１５に投入されたすべての硬貨を排出して硬貨出金収納部７０〜７５および硬貨リジェクト口１６のいずれかに案内する硬貨環流入金案内処理が終了したと判定する。
【００９５】
「紙幣環流入金案内処理」
制御部１０５は、紙幣入金口１２１の紙幣を入金紙幣繰出部１３０で一枚ずつ分離して入金紙幣搬送路１３１に繰り出し、紙幣識別部１３２で識別する。そして、紙幣識別部１３２の識別結果に基づき、判別不能券または重送等の搬送異常券と識別された異常紙幣は、振分部１３４にて入金紙幣搬送路１３１からリジェクト紙幣搬送路１３５に振り分けられ、さらに振分部１５４および振分部１５７にて出金紙幣搬送路１３６を介して紙幣出金口１２２に繰り出されることで、機外に取出可能にリジェクトされる。
【００９６】
他方、紙幣識別部１３２の識別結果に基づき、振分部１３４は、真券かつ搬送正常券と識別された受入紙幣をそのまま入金紙幣搬送路１３１の下流側に導き、スタッカ１３８〜１４０の対応するいずれかに上部から収納する。つまり、万円券であれば、振分部１４２で振り分けて分岐紙幣搬送路１４３からスタッカ１３８に収納し、千円券であれば、振分部１４２および振分部１４４で振り分けて分岐紙幣搬送路１４５からスタッカ１３９に収納し、五千円券であれば、振分部１４２および振分部１４４で振り分けて入金紙幣搬送路１３１を介してスタッカ１４０に収納する。ここで、制御部１０５は、紙幣識別部１３２の識別結果つまり金種毎の紙幣の計数値をＲＡＭ１０７に一時的に記憶させる。
【００９７】
そして、制御部１０５は、紙幣環流入金案内処理中に、紙幣検出センサ１９１〜１９５，２００，２０２のいずれによっても紙幣が検出されない状態が所定時間以上になると、紙幣入金口１２１からすべての紙幣を排出してスタッカ１３８〜１４０および紙幣出金口１２２のいずれかに案内する紙幣環流入金案内処理が終了したと判定する。
【００９８】
硬貨環流入金案内処理および紙幣環流入金案内処理が共に終了したと判定すると、制御部１０５は、案内表示部１０９に今回の一の取引での硬貨環流入金案内処理における硬貨識別部４４の計数結果と、今回の一の取引での紙幣環流入金案内処理の紙幣識別部１３２の計数結果とを表示させ、その後の処理を促す表示を行う。すなわち、入金取消処理をするか、入金確定処理をするかを問う。
【００９９】
上記した入金取消処理をするか、入金確定処理をするかの問いに対して、操作者が、承認操作入力である入金確定処理の選択操作を操作部１０８に入力すると、制御部１０５は、今回の一の取引で入力された伝票金額と、今回の一の取引での、硬貨環流入金案内処理による硬貨の入金金額と紙幣環流入金案内処理よる紙幣の入金金額との合計の貨幣入金金額とを比較する。
【０１００】
そして、今回の一の取引での貨幣入金金額が伝票金額と等しければ、ＲＡＭ１０７に一時的に記憶させていた今回の一の取引での入金処理の硬貨および紙幣の計数値を確定して記憶し、硬貨入出金装置部１１における硬貨入金処理および紙幣入出金装置部１２における紙幣入金処理を終了する。
【０１０１】
また、今回の一の取引での貨幣入金金額が伝票金額よりも大きければ、ＲＡＭ１０７に一時的に記憶させていた今回の一の取引での入金処理の硬貨および紙幣の計数値を確定して記憶し、硬貨入出金装置部１１における硬貨入金処理および紙幣入出金装置部１２における紙幣入金処理を終了するとともに、差額分を釣銭として支払うために後述する硬貨出金処理および紙幣出金処理のうちの少なくともいずれか一方を行う。
【０１０２】
また、今回の一の取引での貨幣入金金額が伝票金額より小さければ、制御部１０５は、硬貨入出金装置部１１においては硬貨環流返却案内処理を行い、紙幣入出金装置部１２においては紙幣環流返却案内処理を行う。
【０１０３】
「硬貨環流返却案内処理」
制御部１０５は、入金された金額と同金額の入金された硬貨とは別の硬貨を硬貨出金収納部７０〜７５から出金計数センサ７０Ａ〜７５Ａで計数しつつ出金硬貨搬送駆動部７９およびソレノイド８０〜８５によってシュート部９０に繰り出させ、振分部９２で硬貨出金口１７に繰り出させる。そして、返却に必要な枚数の硬貨が硬貨出金口１７に繰り出され貯留されたことが出金計数センサ８２の計数により検出されると、制御部１０５は、硬貨環流返却案内処理が終了したと判定し、ＲＡＭ１０７に一時的に記憶させていた今回の一の取引での入金処理の硬貨の計数値を消去して、硬貨入金処理を終了する。これに対し、操作者は、硬貨出金口１７および返却箱１９に返却された硬貨を取り出すことになる。
【０１０４】
「紙幣環流返却案内処理」
制御部１０５は、スタッカ１３８〜１４０に入金された金額と同金額の入金された紙幣とは別の紙幣をスタッカ１３８〜１４０から出金紙幣繰出部１３８ａ，１３９ａ，１４０ａによって出金紙幣搬送路１３６に繰り出させ、振分部１５４および振分部１５７で振り分けて紙幣出金口１２２に払い出させる。そして、返却に必要な枚数の紙幣が紙幣出金口１２２に繰り出され貯留されたことが紙幣検出センサ２０２の計数により検出されると、制御部１０５は、紙幣環流返却案内処理が終了したと判定し、ＲＡＭ１０７に一時的に記憶させていた今回の一の取引での入金処理の紙幣の計数値を消去して、紙幣入金処理を終了する。これに対し、操作者は、紙幣出金口１２２から紙幣を取り出すことになる。なお、返却動作中に紙幣検出センサ１９６〜１９９でスタッカ１３８〜１４０から繰り出される紙幣の中に重送等の搬送異常券が検出されると、搬送異常券を振分部１５７で分岐紙幣搬送路１５８側に振り分けて紙幣リジェクト庫１５９に収納する。
【０１０５】
上記した入金取消処理をするか、入金確定処理をするかの問いに対して、操作者が、承認操作入力ではない入金取消処理の選択操作を操作部１０８に入力すると、制御部１０５は、硬貨入出金装置部１１について上記した硬貨環流返却案内処理を行うとともに、紙幣入出金装置部１２について上記した紙幣環流返却案内処理を行う。
【０１０６】
なお、以上の環流モードでの入金処理中に、硬貨入出金装置部１１にジャム等の異常が発生すると、制御部１０５は、自動的に第１段階ロック機構３０５のロックを解除し、上部ユニット３０１を第１段階まで引き出して入金硬貨搬送部２７の硬貨入金口１５から開閉選別部５０までを操作者がアクセスできるように開放可能とする。これにより硬貨の環流ルートのうちの非環流ルートと共通の部分が開放可能となる。これに加えて、管理者が管理キー３０７のキー操作を行うことにより、ロック機構３０６のロックを解除すると、環流ルートの専用部分も開放可能となる。つまり、上部ユニット３０１を機体１に対して第２段階まで引き出すことで、選別孔５３〜５８に操作者がアクセスできるようになり、さらに、開閉機構３０９を介して入金硬貨搬送部２７を上側に揺動させることで、硬貨出金収納部７０〜７５に操作者がアクセスできるようになる。このようにして、管理者の管理のもと、硬貨の環流ルートのジャムを解消する。
【０１０７】
同様に、環流モードでの入金処理中に、紙幣入出金装置部１２にジャム等の異常が発生すると、制御部１０５は、ロック機構３３１のロックを解除し、入金紙幣搬送路１３１の振分部１３４よりも上流側、振分部１３４、リジェクト紙幣搬送路１３５、振分部１５４、分岐紙幣搬送路１５５、振分部１５７および分岐紙幣搬送路１５８を開放可能とする。これにより紙幣の環流ルートのうちの非環流ルートと共通の部分が開放可能となる。これに加えて、管理者が管理キー３０７のキー操作を行うことにより、ロック機構３３６のロックを解除すると、環流ルートの専用部分も開放可能となる。つまり、入金紙幣搬送路１３１の振分部１３４よりも下流側、振分部１４２、分岐紙幣搬送路１４３、振分部１４４、分岐紙幣搬送路１４５、スタッカ１３８〜１４０、繰出紙幣搬送路１５０〜１５２、および出金紙幣搬送路１３６に、操作者がアクセスできるようになる。このようにして、管理者の管理のもと、紙幣の環流ルートのジャムを解消する。
【０１０８】
〔非環流モードでの入金処理〕
一の取引開始にあたって、硬貨入金口１５に硬貨が投入され、紙幣入金口１２１に紙幣が投入された状態で、操作部１０８に、この一の取引の伝票金額の入力を含む入金操作が入力されると、制御部１０５は、硬貨入出金装置部１１については硬貨入金処理の硬貨非環流入金案内処理を開始することになり、紙幣入出金装置部１２については紙幣入金処理の紙幣非環流入金案内処理を開始することになる。
【０１０９】
「硬貨非環流入金案内処理」
制御部１０５は、硬貨入金口１５の硬貨をベルトコンベア３１および図示せぬ分離ローラで一枚ずつ分離して入金硬貨搬送部２７に繰り出し、入金硬貨搬送部２７で搬送しつつ硬貨識別部４４で識別する。そして、硬貨識別部４４の識別結果に基づき、識別異常とされたリジェクト硬貨を、開閉リジェクト部４５によりリジェクト孔４６から落下させ硬貨リジェクト口１６に繰り出させることで、機外にリジェクトする。
【０１１０】
他方、硬貨識別部４４の識別結果に基づき、正常な硬貨と識別された受入硬貨を、開状態の開閉選別部５０によってシュート５９を介して硬貨一時貯留部１８に貯留する。そして、制御部１０５は、硬貨識別部４４の識別結果つまり金種毎の計数値をＲＡＭ１０７に一時的に記憶させる。
【０１１１】
そして、制御部１０５は、硬貨非環流入金案内処理中に、入金硬貨繰出駆動部３２および入金硬貨搬送駆動部３９が駆動状態にあっても硬貨識別部４４によって硬貨が検出されない状態が所定時間以上になると、硬貨入金口１５に投入されたすべての硬貨を排出して硬貨一時貯留部１８および硬貨リジェクト口１６のいずれかに案内する硬貨非環流入金案内処理が終了したと判定する。
【０１１２】
「紙幣非環流入金案内処理」
制御部１０５は、紙幣入金口１２１の紙幣を入金紙幣繰出部１３０で一枚ずつ分離して入金紙幣搬送路１３１に繰り出し、紙幣識別部１３２で識別する。そして、紙幣識別部１３２の識別結果に基づき、判別不能券または重送等の搬送異常券と識別された異常紙幣は、振分部１３４にて入金紙幣搬送路１３１からリジェクト紙幣搬送路１３５に振り分けられ、さらに振分部１５４および振分部１５７にて出金紙幣搬送路１３６を介して紙幣出金口１２２に繰り出されることで、機外に取出可能にリジェクトされる。
【０１１３】
他方、紙幣識別部１３２の識別結果に基づき、真券かつ搬送正常券と識別された受入紙幣を、振分部１３４によりリジェクト紙幣搬送路１３５に案内し、振分部１５４によって、分岐紙幣搬送路１５５に案内して、紙幣一時貯留部１２４に貯留する。ここで、制御部１０５は、紙幣識別部１３２の識別結果つまり金種毎の紙幣の計数値をＲＡＭ１０７に一時的に記憶させる。
【０１１４】
そして、制御部１０５は、紙幣非環流入金案内処理中に、紙幣検出センサ１９１〜１９２，２００，２０２のいずれによっても紙幣が検出されない状態が所定時間以上になると、紙幣入金口１２１からすべての紙幣を排出して、紙幣出金口１２２および紙幣一時貯留部１２４のいずれかに案内する紙幣非環流入金案内処理が終了したと判定する。
【０１１５】
硬貨非環流入金案内処理および紙幣非環流入金案内処理が共に終了したと判定すると、制御部１０５は、案内表示部１０９に今回の一の取引での硬貨非環流入金案内処理における硬貨識別部４４の計数結果と、今回の一の取引での紙幣非環流入金案内処理の計数結果とを表示させ、その後の処理を促す表示を行う。すなわち、入金取消処理をするか、入金確定処理をするかを問う。
【０１１６】
上記した入金取消処理をするか、入金確定処理をするかの問いに対して、操作者が、承認操作入力である入金確定処理の選択操作を操作部１０８に入力すると、制御部１０５は、今回の一の取引で入力された伝票金額と、今回の一の取引での、硬貨非環流入金案内処理による硬貨の入金金額と紙幣非環流入金案内処理よる紙幣の入金金額との合計の貨幣入金金額とを比較する。
【０１１７】
そして、今回の一の取引での貨幣入金金額が伝票金額より小さければ、制御部１０５は、案内表示部１０９に入金金額が伝票金額より小さい旨のアラーム表示を行うとともに、硬貨入出金装置部１１について硬貨非環流返却案内処理を行うとともに、紙幣入出金装置部１２について紙幣非環流返却案内処理を行う。
【０１１８】
「硬貨非環流返却案内処理」
制御部１０５は、硬貨入出金装置部１１において、囲壁部９５を返却箱１９の方向にスライドさせ、底板９６を返却箱１９とは反対方向にスライドさせることで、硬貨一時貯留部１８の硬貨を返却箱１９に放出する。そして、硬貨一時貯留部１８を待機位置に戻すと、硬貨非環流返却案内処理が終了したと判定し、ＲＡＭ１０７に一時的に記憶させていた今回の入金処理の硬貨の計数値を消去して、硬貨入金処理を終了する。これに対し、操作者は、返却箱１９に返却された硬貨を取り出すことになる。
【０１１９】
「紙幣非環流返却案内処理」
制御部１０５は、紙幣入出金装置部１２において、ロック機構３５０のロックを解除して紙幣一時貯留部１２４の囲壁部１７０および一対の底板１７１を引出部３５０とともに機体１から引き出し可能とする。これに対し、操作者は、紙幣出金口１２２および紙幣一時貯留部１２４から紙幣を取り出すことになる。そして、紙幣一時貯留部１２４が機体に押し込まれロック機構３５２がロックされたことが検出されると、制御部１０５は、ＲＡＭ１０７に一時的に記憶させていた今回の入金処理の紙幣の計数値を消去して、紙幣入金処理が終了したと判定する。
【０１２０】
また、今回の一の取引での貨幣入金金額が伝票金額と等しければ、硬貨入出金装置部１１について硬貨非環流入金収納処理を行うとともに、紙幣入出金装置部１２について紙幣非環流入金案内処理を行う。
【０１２１】
「硬貨非環流入金収納処理」
制御部１０５は、硬貨入出金装置部１１について、硬貨一時貯留部１８の壁スライド部９７により囲壁部９５をシュート９９側にスライドさせ、底板スライド部９８により底板９６をシュート９９とは反対方向にスライドさせることで、硬貨をシュート９９を介して硬貨収納庫２０に収納するとともに、ＲＡＭ１０７に一時的に記憶させていた今回の一の取引での入金処理の硬貨の計数値を確定して記憶し、硬貨入出金装置部１１における硬貨入金処理を終了する。
【０１２２】
「紙幣非環流入金収納処理」
制御部１０５は、紙幣入出金装置部１２について、開閉スライド部１７２によって紙幣一時貯留部１２４の一対の底板１７１を離間方向にスライドさせることで、一対の底板１７１上に一時貯留していた紙幣を囲壁部１７０の下部開口から落下させてフラッパ１８２上に載置させる。次に、制御部１０５は、プッシャ昇降部１７４によりプッシャ１７３を下降させ、プッシャ１７３により一対のフラッパ１８２上の紙幣を下方に押圧して、一対のフラッパ１８２を開き、紙幣を一対のフラッパ１８２より下側に移動させて載置板１８３上またはその上にすでに収納されている紙幣上に載置させることになり、その後、プッシャ昇降部１７４によりプッシャ１７３を待機位置まで上昇させる。すると、載置板１８３が図示略のスプリングの付勢力で紙幣を閉状態のフラッパ１８２との間で挟んで保持する。これにより、紙幣一時貯留部１２４の紙幣を紙幣収納庫１２５に収納する。制御部１０５は、ＲＡＭ１０７に一時的に記憶させていた今回の入金処理の紙幣の計数値を確定して記憶し、紙幣入出金装置部１２における入金入金処理を終了する。
【０１２３】
また、今回の一の取引での貨幣入金金額が伝票金額よりも大きい場合、つまり釣銭が発生する場合、制御部１０５は、今回の一の取引の貨幣入金金額と、硬貨収納庫２０の在り高（リセット時から前回の取引までの硬貨分の入金金額の累計金額）と、紙幣収納庫１２５の在り高（リセット時から前回の取引までの紙幣分の入金金額の累計金額）との加算値が、今回の一の取引の伝票金額を含む伝票金額の累計値（リセット時から今回の取引までの伝票金額の合計金額）を超えるか否かを判定する。この加算値が、伝票金額の累計値を超えない場合、つまり加算値が伝票金額の累計値以下である場合、上記した硬貨非環流入金収納処理および紙幣非環流入金収納処理を行って、硬貨一時貯留部１８の硬貨をシュート９９を介して硬貨収納庫２０に収納するとともに、紙幣一時貯留部１２４の紙幣をプッシャ１７３で紙幣収納庫１２５に収納する。加えて、ＲＡＭ１０７に一時的に記憶させていた今回の一の取引での入金処理の硬貨および紙幣の計数値を確定して記憶し、硬貨入出金装置部１１における硬貨入金処理を終了するとともに、紙幣入出金装置部１２における紙幣入金処理を終了する。
【０１２４】
他方、今回の一の取引での貨幣入金金額が伝票金額よりも大きい場合であって、上記の加算値が伝票金額の累計値を超える場合、制御部１０５は、案内表示部１０９に、硬貨収納庫２０および紙幣収納庫１２５の在り高である機内収納金額が、伝票金額の累計値である売上金額を超えてしまう旨のアラーム表示を表示させるとともに、上記した硬貨非環流返却案内処理および紙幣非環流返却案内処理を行って、硬貨一時貯留部１８の硬貨を返却箱１９に放出するとともに、紙幣一時貯留部１２４の引き出しを可能とする。そして、制御部１０５は、硬貨一時貯留部１８を待機位置に戻して、ＲＡＭ１０７に一時的に記憶させていた今回の入金処理の硬貨の計数値を消去して、硬貨入金処理を終了するとともに、紙幣一時貯留部１２４が機体に押し込まれロック機構３５２がロックされたことが検出されると、制御部１０５は、ＲＡＭ１０７に一時的に記憶させていた今回の入金処理の紙幣の計数値を消去して、紙幣入金処理を終了する。
【０１２５】
上記した入金取消処理をするか、入金確定処理をするかの問いに対して、操作者が、承認操作入力ではない入金取消処理の選択操作を操作部１０８に入力すると、制御部１０５は、硬貨入出金装置部１１について上記した硬貨非環流返却案内処理を行うとともに、紙幣入出金装置部１２について上記した紙幣非環流返却案内処理を行う。
【０１２６】
なお、制御手段１０５は、上記した一の取引中に、タイムレコーダ３００から出力される管理者の在席情報が管理者在席有りから管理者在席無しに切り換わった場合、当該一の取引終了までは、硬貨および紙幣の入金ルートを上記した環流ルートに設定し続け、当該一の取引終了後に、硬貨および紙幣の入金ルートを上記した非環流ルートに切り換えることになる。
【０１２７】
また、制御手段１０５は、上記した一の取引中に、タイムレコーダ３００から出力される管理者の在席情報が管理者在席無しから管理者在席有りに切り換わった場合、当該一の取引終了までは、硬貨および紙幣の入金ルートを上記した非環流ルートに設定し続け、当該一の取引終了後に、硬貨および紙幣の入金ルートを上記した環流ルートに切り換えることになる。
【０１２８】
なお、タイムレコーダ３００には、報知部（報知手段）３４１が設けられており、管理者がタイムレコーダ３００に対し在席しない状態となる外出の操作あるいは退社の操作を行うと、管理者が管理する複数の貨幣処理機１０のうちのいずれかが上記した一の取引中である状態では、報知部３４１が、取引中の貨幣処理機１０が有る旨を報知する。他方、管理者が管理する複数の貨幣処理機１０のいずれも上記した一の取引中でない状態では、報知部３４１が、取引中の貨幣処理機１０がない旨を報知する。
【０１２９】
なお、以上の非環流モードでの入金処理中に、硬貨入出金装置部１１にジャム等の異常が発生すると、制御部１０５は、自動的に第１段階ロック機構３０５およびロック機構３１２のロックを解除し、入金硬貨搬送部２７の硬貨入金口１５から開閉選別部５０までを操作者がアクセスできるように開放可能とするとともに、硬貨一時貯留部１８に操作者がアクセスできるように引出部３１０を開放可能とする。つまり、硬貨の非環流ルートが開放可能となる。このとき、管理者は不在のため、第２段階ロック機構３０６はロックを解除できず、選別孔５３〜５８および硬貨出金収納部７０〜７５を含む環流ルートの専用部分は開放不可となる。このようにして、担当者レベルでも可能な非環流ルートのジャム等の異常を解消する。
【０１３０】
同様に、非環流モードでの入金処理中に、紙幣入出金装置部１２にジャム等の異常が発生すると、制御部１０５は、ロック機構３３１およびロック機構３５２のロックを解除し、入金紙幣搬送路１３１の振分部１３４から上流側、振分部１３４、リジェクト紙幣搬送路１３５、振分部１５４、分岐紙幣搬送路１５５、振分部１５７および分岐紙幣搬送路１５８と、紙幣一時貯留部１２４とを開放可能とする。これにより紙幣の非環流ルートが開放可能となる。このとき、管理者は不在のため、ロック機構３３６のロックは解除されず、振分部１４２、振分部１４４およびスタッカ１３８〜１４０を含む紙幣の環流ルートの専用部分は開放不可となる。このようにして、担当者レベルでも可能な非環流ルートのジャム等の異常を解消する。
【０１３１】
〔出金処理〕
制御部１０５は、今回の一の取引にて、上記硬貨入金処理で入金された硬貨の入金金額と、紙幣入金処理で入金された紙幣の入金金額との合計の貨幣入金金額と、操作部１０８に入力された伝票金額の合計値とから、まず、入金金額の合計値から伝票金額の合計値を減算した釣銭総金額を算出し、この釣銭総金額から硬貨出金分および紙幣出金分の釣銭金額を算出して、硬貨出金処理および紙幣出金処理の少なくともいずれか一方を行う。
【０１３２】
「硬貨出金処理」
制御部１０５は、硬貨出金分の釣銭金額を最小枚数で構成する出金パターンを算出する。そして、この出金パターンで硬貨を出金させるように、出金計数センサ７０Ａ〜７５Ａで計数しつつ硬貨出金収納部７０〜７５の対応するものから硬貨を出金硬貨搬送駆動部７９およびソレノイド８０〜８５によってシュート部９０に繰り出させ、閉状態の振分部９２で硬貨出金口１７に案内する。そして、この出金パターンの釣銭硬貨が硬貨出金口１７に繰り出されたことが出金計数センサ７０Ａ〜７５Ａの計数により検出されると、制御部１０５は、今回の硬貨出金処理での計数値を記憶するとともに、硬貨出金処理が終了したと判定する。
【０１３３】
「紙幣出金処理」
制御部１０５は、紙幣出金分の釣銭金額を最小枚数で構成する出金パターンを算出する。そして、この出金パターンで紙幣を出金させるように、紙幣検出センサ１９７，１９８で計数しつつスタッカ１３９，１４０の対応するものから紙幣を、出金紙幣繰出部１３９ａ，１４０ａで、繰出紙幣搬送路１５１，１５２の対応するものに繰り出させて、振分部１５４および振分部１５７で振り分けて、出金紙幣搬送路１３６によって紙幣出金口１２２に案内する。なお、出金動作中にセンサ１９７〜１９９で多重搬送等の搬送異常紙幣が検出されると、この搬送異常紙幣を振分部１５７で振り分けて紙幣リジェクト庫１５９に収納させる。そして、出金に必要な枚数の紙幣が紙幣出金口１２２に繰り出され貯留されたことがセンサ２０２の計数により検出されると、制御部１０５は、今回の紙幣出金処理での計数値を記憶するとともに、紙幣出金処理が終了したと判定する。
【０１３４】
〔売上金収納処理〕
操作部１０８に、売上金確定操作入力が入力されると、制御部１０５は、前回の硬貨収納庫２０および紙幣収納庫１２５の機外回収時にリセットされ、その後、再び累計された入金処理の伝票金額（つまり売上金）の累計値を算出するとともに、前回の硬貨収納庫２０および紙幣収納庫１２５の機外回収時（空の硬貨収納庫２０および紙幣収納庫１２５への交換時）にいずれもリセットされ、その後、計数された硬貨収納庫２０内の硬貨の在り高および紙幣収納庫１２５内の紙幣の在り高とを算出する。そして、硬貨収納庫２０内の硬貨の在り高と紙幣収納庫１２５内の紙幣の在り高との加算値を、伝票金額の累計値から減算し、不足金額を算出する。そして、不足金額がある場合、不足金額を補うべく、硬貨補充処理および紙幣補充処理の少なくともいずれか一方を行う。
【０１３５】
「硬貨補充処理」
制御部１０５は、不足金額のうちの硬貨分を最小枚数で構成する補充パターンを算出する。そして、この補充パターンで硬貨を補充するように、出金計数センサ７０Ａ〜７５Ａで計数しつつ硬貨出金収納部７０〜７５の対応するものから硬貨を出金硬貨搬送駆動部７９およびソレノイド８０〜８５によってシュート部９０に繰り出させ、開状態の振分部９２で硬貨一時貯留部１８に案内する。そして、この補充パターンの硬貨が硬貨一時貯留部１８に繰り出されたことが出金計数センサ７０Ａ〜７５Ａの計数により検出されると、制御部１０５は、硬貨一時貯留部１８の壁スライド部９７により囲壁部９５をシュート９９側にスライドさせ、底板スライド部９８により底板９６をシュート９９とは反対方向にスライドさせることで、硬貨をシュート９９を介して硬貨収納庫２０に収納する。
【０１３６】
「紙幣補充処理」
制御部１０５は、不足金額のうちの紙幣分を最小枚数で構成する補充パターンを算出する。そして、この補充パターンで紙幣を補充するように、紙幣検出センサ１９６〜１９８で計数しつつスタッカ１３８〜１４０の対応するものから紙幣を、出金紙幣繰出部１３８ａ〜１４０ａで、繰出紙幣搬送路１５０〜１５２の対応するものに繰り出させて、振分部１５４で振り分けて、紙幣一時貯留部１２４に案内する。なお、出金動作中にセンサ１９７〜１９９で多重搬送等の搬送異常紙幣が検出されると、この搬送異常紙幣を振分部１５７で振り分けて紙幣リジェクト庫１５９に収納させる。そして、出金に必要な金種および枚数の紙幣が紙幣一時貯留部１２４に繰り出され貯留されたことがセンサ１９６〜２００の計数により検出されると、制御部１０５は、開閉スライド部１７２によって紙幣一時貯留部１２４の紙幣をフラッパ１８２上に載置させ、プッシャ昇降部１７４によりプッシャ１７３を下降させて、プッシャ１７３により紙幣を紙幣収納庫１２５に収納する。
【０１３７】
これら硬貨補充処理および紙幣補充処理によって、硬貨収納庫２０および紙幣収納庫１２５の在り高が、伝票金額の累計値つまり売上金額と一致することになり、硬貨収納庫２０および紙幣収納庫１２５が回収されることで、売上金が回収されることになる。
【０１３８】
以上に述べた本実施形態の貨幣処理システムによれば、制御部１０５が、タイムレコーダ３００から出力される在席情報から、管理者在席有りの場合、硬貨の入金ルートを選別孔５３〜５８を経て金種別の硬貨出金収納部７０〜７５に収納する環流ルートに設定するとともに、紙幣の入金ルートを振分部１４２，１４４を経て金種別のスタッカ１３８〜１４０に収納する環流ルートに設定する。他方、管理者在席無しの場合、硬貨の入金ルートを開閉選別部５０を経て全金種一括の硬貨一時貯留部１８に収納する非環流ルートに設定するとともに、紙幣の入金ルートを振分部１３４を経て全金種一括の紙幣一時貯留部１２４に収納する非環流ルートに設定する。このため、管理者が在席しない状況では、硬貨一時貯留部１８に硬貨を、紙幣一時貯留部１２４に紙幣を貯留する非環流ルートで搬送し、その際に、制御部１０５が、硬貨一時貯留部１８に貯留した硬貨および紙幣一時貯留部１２４に貯留した紙幣を、操作部１０８への承認操作入力時に、硬貨収納庫２０および紙幣収納庫１２５に収納することになる。したがって、管理者が不在の状況では、入金した貨幣についての承認操作入力前の返却時に、入金された貨幣をそのまま返却することが可能となり、使用者と管理者側との間のトラブルを極力回避することができる。
【０１３９】
また、管理者権限有りつまり管理キー３０７があるとき、制御部１０５および第１段階ロック機構３０５と、第２段階ロック機構３０６とが、引出機構３０２の第２段階までの開放と開閉機構３０９の開放とを許可することにより、非環流ルートと兼用の開閉選別部５０と、環流ルート専用の選別孔５３〜５８および硬貨出金収納部７０〜７５とを開放可能となる。それとともに、制御部１０５、ロック機構３３１およびロック機構３３６が扉部３３０および扉部３３５の開放を許可することにより、非環流ルートと兼用の振分部１３４，１５４と、環流ルート専用の振分部１４２，１４４および金種別のスタッカ１３８〜１４０とを開放可能となる。他方、管理者権限無しつまり管理キー３０７がないとき、制御部１０５、第１段階ロック機構３０５およびロック機構３１２が、引出機構３０２の第１段階までの開放と引出部３１０の開放とを許可することにより、非環流ルートの開閉選別部５０および硬貨一時貯留部１８を開放可能となる。それとともに、制御部１０５、ロック機構３３１およびロック機構３５２が、扉部３３０および紙幣一時貯留部１２４の開放を許可することにより、非環流ルートの振分部１３４，１５４および紙幣一時貯留部１２４を開放可能となる。したがって、管理者権限無しの状況で、一の取引中に貨幣処理機１０にジャム等の異常が発生すると、この取引で入金された貨幣の入金ルートである非環流ルートのみをアクセス可能に開放し、その前までに入金された貨幣にアクセス可能な環流ルート専用の選別孔５３〜５８および硬貨出金収納部７０〜７５と環流ルート専用の振分部１４２，１４４および金種別のスタッカ１３８〜１５０とへのアクセスは規制することができる。よって、管理者が不在の状態でも、管理上問題を生じることなく、貨幣処理機１０を異常から復旧可能となる。
【０１４０】
また、制御部１０５が、一の取引において、管理者在席無しの場合、この一の取引の入金金額が伝票金額より大きいと判断すると、この一の取引の入金金額と、硬貨収納庫２０および紙幣収納庫１２５の在り高との加算値が、この一の取引の伝票金額を含む伝票金額の累計値を超えない場合に、硬貨一時貯留部１８に貯留した硬貨を硬貨収納庫２０に、紙幣一時貯留部１２４に貯留した紙幣を紙幣収納庫１２５に収納するため、硬貨収納庫２０および紙幣収納庫１２５の合計の在り高が伝票金額つまり売上金の累計値を超えてしまうことがなくなる。よって、貨幣の機外回収時に、硬貨収納庫２０あるいは紙幣収納庫１２５から売上金を上回る分の貨幣を取り除く必要がなくなり、管理上安全となる。
【０１４１】
また、制御部１０５が、一の取引において、管理者在席無しの場合、この一の取引の入金金額が伝票金額より大きいと判断すると、この一の取引の入金金額と、硬貨収納庫２０および紙幣収納庫１２５の在り高との加算値が、この一の取引の伝票金額を含む伝票金額の累計値を超える場合には、硬貨一時貯留部１８に貯留した硬貨を返却箱１９に返却するとともに、紙幣一時貯留部１２４に貯留した紙幣を紙幣一時貯留部１２４を引き出し可能として返却するため、硬貨収納庫２０および紙幣収納庫１２５の在り高が伝票金額つまり売上金の累計値を超えてしまうことがなくなる。よって、貨幣の機外回収時に、硬貨収納庫２０および紙幣収納庫１２５から売上金を上回る分の貨幣を取り除く必要がなくなり、管理上安全となる。その上、返却箱１９および紙幣一時貯留部１２４で返却することで、その後の他の取引が可能な状況になる。なお、返却された貨幣については、管理者在席有りの状況となったら、環流ルートで入金することになる。
【０１４２】
また、制御部１０５は、操作部１０８への売上金確定操作入力時に、伝票金額の累計値から硬貨収納庫２０および紙幣収納庫１２５の在り高を減算した金額分の貨幣を金種別の硬貨出金収納部７０〜７５およびスタッカ１３８〜１４０から、硬貨収納庫２０および紙幣収納庫１２５に収納するため、貨幣の機外回収時に硬貨収納庫２０および紙幣収納庫１２５ごと回収すれば、貨幣の機外回収時に売上金の金額をそのまま回収することができる。
【０１４３】
また、タイムレコーダ３００が、複数台の貨幣処理機１０と通信可能であるため、複数台の貨幣処理機１０でタイムレコーダ３００を共用して、管理者の在席状況に基づいた上記処理を行うことができる。
【０１４４】
また、一の取引中に、タイムレコーダ３００からの在席情報が、管理者在席有りから管理者在席無しに切り換わった場合でも、制御部１０５は、当該一の取引終了までは、貨幣の入金ルートを環流ルートに設定し続け、当該一の取引終了後に、貨幣の入金ルートを非環流ルートに切り換えるため、処理の途中で入金ルートが切り換わってしまうことがなくなる。したがって、管理上好ましい。
【０１４５】
また、一の取引中に、タイムレコーダ３００からの在席情報が、管理者在席無しが管理者在席有りに切り換わった場合でも、制御部１０５は、当該一の取引終了までは、貨幣の入金ルートを非環流ルートに設定し続け、当該一の取引終了後に、貨幣の入金ルートを環流ルートに切り換えるため、処理の途中で入金ルートが切り換わってしまうことがなくなる。したがって、管理上好ましい。
【０１４６】
また、タイムレコーダ３００に設けられた報知部３４１が、貨幣処理機１０が取引中である旨を管理者に対し報知するため、貨幣処理機１０が取引中に管理者が不在となる状況を回避可能となる。つまり、使用者が貨幣処理機１０で取引を行っている最中に管理者が不在になってしまうと、この取引分のみは貨幣処理機１０は環流モードの入金ルートにて動作を行っているので、レアケースとはなるものの、仮に当該取引中に使用者が取引をキャンセルして現金を返却する際や、更には異常が発生した際には、問題が生じることになるが、管理者が在席から不在となる場合に、取引中の貨幣処理機１０が有る旨を報知することでこのような懸念がなくなる。また、管理者がタイムレコーダ３００で不在となる操作を行う際に現在貨幣処理機１０が取引を行っていなければ、その旨を報知部３４１によって報知するため、管理者は安心して不在となることができる。
【０１４７】
尚、以上にて説明した実施形態では、紙幣入出金装置部１２は便宜上三つの金種別のスタッカ１３８〜１４０を有するものとしたが、個数は三つに限られるものではない。また、金種別のスタッカ１３８〜１４０の金種設定となる紙幣、つまり万円券，五千円券，千円券は管理者在席有りで貨幣の入金ルートが環流ルートに設定された場合には、環流対象となるこれらの紙幣は入金処理の際にスタッカ１３８〜１４０の対応するいずれかに上部から収納される旨説明したが、これに限らず何れかのスタッカ１３８〜１４０が収納容量満杯発生となってそれ以上収納できないオーバーフロー分の万円券，五千円券，千円券については、紙幣一時貯留部１２４へ導いて貯留するようにしても良い。同様に、環流対象外の紙幣、つまりは２千円券についても紙幣一時貯留部１２４へ導いて貯留するようにすれば良い。つまりは、管理者在席有りで貨幣の入金ルートが環流ルートに設定された場合には、これらの紙幣の収納先、貯留先については上述した説明内容に制限されるものではなく、少なくとも環流対象外の金種である２千券が環流対象となる金種別のスタッカ１３８〜１４０のいずれでもなく紙幣一時貯留部１２４へ導いて貯留されるように制御されれば良い事になる。そして逆に、管理者在席無しで貨幣の入金ルートが非環流ルートに設定された場合には、環流対象外の金種である２千券のみではなく、環流対象となる万円券，五千円券，千円券も含めて全ての紙幣が環流対象となる金種別のスタッカ１３８〜１４０のいずれでもなく、紙幣一時貯留部１２４のみに導いて貯留されるように制御されれば良い事になる。
【符号の説明】
【０１４８】
１  機体（許可手段）
１０  貨幣処理機
１５  硬貨入金口（投入手段）
１７  硬貨出金口（払出手段）
１８  硬貨一時貯留部（貯留手段）
１９  返却箱（返却手段）
２０  硬貨収納庫（収納手段）
４４  硬貨識別部（入金識別手段）
５０  開閉選別部（第２の振分手段）
５３〜５８  選別孔（第１の振分手段）
７０〜７５  硬貨出金収納部（環流手段）
１０５  制御部（管理者在席状況管理手段，ルート切換手段，制御手段，比較手段，許可手段）
１０８  操作部（操作手段）
１２１  紙幣入金口（投入手段）
１２２  紙幣出金口（払出手段）
１２４  紙幣一時貯留部（貯留手段，返却手段）
１２５  紙幣収納庫（収納手段）
１３２  紙幣識別部（入金識別手段）
１３４，１５４  振分部（第２の振分手段）
１３８〜１４０  スタッカ（環流手段）
１４２，１４４  振分部（第１の振分手段）
３００  タイムレコーダ（管理者在席状況管理手段）
３０２  引出機構（第１開放手段，第２開放手段）
３０５  第１段階ロック機構（許可手段）
３０６  第２段階ロック機構（許可手段）
３０７  管理キー（許可手段）
３０９  開閉機構（第１開放手段）
３１１  引出機構（第２開放手段）
３１２  ロック機構（許可手段）
３３０  扉部（第２開放手段）
３３１  ロック機構（許可手段）
３３５  扉部（第１開放手段）
３３６  ロック機構（許可手段）
３４１  報知部（報知手段）
３５１  引出機構（第２開放手段）
３５２  ロック機構（許可手段）
【図１】
0005470117.tif 000002
【図２】
0005470117.tif 000003
【図３】
0005470117.tif 000004
【図４】
0005470117.tif 000005
【図５】
0005470117.tif 000006
【図６】
0005470117.tif 000007